(57)【要約】本開示のある態様は、ピーク対平均電力比（ＰＡＰＲ）を低減できる方法で送信プリアンブルのＶＨＴ−ＳＩＧフィールドをスクランブルするための技法に関する。
2013539629.tif 000002
【特許請求の範囲】
【請求項１】
ワイヤレス通信のための方法であって、
超高速スループット信号（ＶＨＴ−ＳＩＧ）フィールドを構築することと、
前記ＶＨＴ−ＳＩＧフィールドの１つまたは複数のビットをスクランブルすることと、
ワイヤレスチャネル上で、１つまたは複数のスクランブルされたビットを含んで前記ＶＨＴ−ＳＩＧフィールドを送信することと、
を備える方法。
【請求項２】
前記スクランブルすることは、前記送信されたＶＨＴ−ＳＩＧフィールドのピーク対平均電力比（ＰＡＰＲ）を低減するように設計される、請求項１に記載の方法。
【請求項３】
前記送信されたＶＨＴ−ＳＩＧフィールドの予期されたＰＡＰＲが閾値を超えることを決定することに応じて、前記スクランブルすることを実行すること、
をさらに備える請求項１に記載の方法。
【請求項４】
前記スクランブルすることは、
前記ＶＨＴ−ＳＩＧフィールドにおける１つまたは複数のビットの値を反転すること、
を備える、
請求項１に記載の方法。
【請求項５】
前記スクランブルすることは、
既知のシードでスクランブルすることを実行すること、
を備える、
請求項１に記載の方法。
【請求項６】
前記スクランブルすることは、
可変シードでスクランブルすることを実行すること、
を備える、
請求項１に記載の方法。
【請求項７】
前記スクランブルすることは、
前記送信されたＶＨＴ−ＳＩＧフィールドの予期されたＰＡＰＲを低減するために１つまたは複数のリザーブされたビットを再配置すること、
を備える、
請求項１に記載の方法。
【請求項８】
前記スクランブルすることは、
前記ＶＨＴ−ＳＩＧフィールドのアソシエーション識別子（ＡＩＤ）サブフィールドを、１つまたは複数の値のセットから選ばれた値に設定すること、
を備え、前記ＶＨＴ−ＳＩＧフィールドのグループ識別子（ＧＩＤ）サブフィールドは、シングルユーザ（ＳＵ）送信を示す定義された値に設定される、
請求項１に記載の方法。
【請求項９】
前記セットにおける前記１つまたは複数の値は、
前記送信されたＶＨＴ−ＳＩＧフィールドのピーク対平均電力比（ＰＡＰＲ）についての複数の値のうちの最大値、
前記送信されたＶＨＴ−ＳＩＧフィールドのＰＡＰＲについての前記複数の値の平均値、または、
前記最大値および前記平均値の和、
のうちの少なくとも１つを減らすために決定される、
請求項８に記載の方法。
【請求項１０】
前記スクランブルすることは、
ビートのシーケンスと前記ＶＨＴ−ＳＩＧフィールドの前記１つまたは複数のビットとの間で、バイナリオペレーションを実行すること、
を備え、ビットの前記シーケンスは、前記送信されたＶＨＴ−ＳＩＧフィールドのピーク対平均電力比（ＰＡＰＲ）を低減するために決定される、
請求項１に記載の方法。
【請求項１１】
ワイヤレス通信のための装置であって、
超高速スループット信号（ＶＨＴ−ＳＩＧ）フィールドを構築するための手段と、
前記ＶＨＴ−ＳＩＧフィールドの１つまたは複数のビットをスクランブルするための手段と、
ワイヤレスチャネル上で、１つまたは複数のスクランブルされたビットを含んで前記ＶＨＴ−ＳＩＧフィールドを送信するための手段と、
を備える装置。
【請求項１２】
前記スクランブルするための手段は、前記送信されたＶＨＴ−ＳＩＧフィールドのピーク対平均電力比（ＰＡＰＲ）を低減するように設計される、請求項１１に記載の装置。
【請求項１３】
前記送信されたＶＨＴ−ＳＩＧフィールドの予期されたＰＡＰＲが閾値を超えることを決定することに応じて、前記スクランブルすることを実行するための手段、
をさらに備える請求項１１に記載の装置。
【請求項１４】
前記スクランブルするための手段は、前記ＶＨＴ−ＳＩＧフィールドにおける１つまたは複数のビットの値を反転するための手段、を備える、請求項１１に記載の装置。
【請求項１５】
前記スクランブルするための手段は、既知のシードでスクランブルすることを実行するための手段、を備える、請求項１１に記載の装置。
【請求項１６】
前記スクランブルするための手段は、可変シードでスクランブルすることを実行するための手段、を備える、請求項１１に記載の装置。
【請求項１７】
前記スクランブルするための手段は、
前記送信されたＶＨＴ−ＳＩＧフィールドの予期されたＰＡＰＲを低減するために１つまたは複数のリザーブされたビットを再配置するための手段、
を備える、請求項１１に記載の装置。
【請求項１８】
前記スクランブルするための手段は、
前記ＶＨＴ−ＳＩＧフィールドのアソシエーション識別子（ＡＩＤ）サブフィールドを、１つまたは複数の値のセットから選ばれた値に設定するための手段、
を備え、前記ＶＨＴ−ＳＩＧフィールドのグループ識別子（ＧＩＤ）サブフィールドは、シングルユーザ（ＳＵ）送信を示す定義された値に設定される、
請求項１１に記載の装置。
【請求項１９】
前記セットにおける前記１つまたは複数の値は、
前記送信されたＶＨＴ−ＳＩＧフィールドのピーク対平均電力比（ＰＡＰＲ）についての複数の値のうちの最大値、
前記送信されたＶＨＴ−ＳＩＧフィールドのＰＡＰＲについての前記複数の値の平均値、または、
前記最大値および前記平均値の和、
のうちの少なくとも１つを減らすために決定される、
請求項１８に記載の装置。
【請求項２０】
前記スクランブルするための手段は、
ビットのシーケンスと前記ＶＨＴ−ＳＩＧフィールドの前記１つまたは複数のビットの間でバイナリオペレーションを実行するための手段、
を備え、
前記装置は、
前記送信されたＶＨＴ−ＳＩＧフィールドのピーク対平均電力比（ＰＡＰＲ）を低減するために前記ビットのシーケンスを決定するための手段、
をさらに備える、
請求項１１に記載の装置。
【請求項２１】
ワイヤレス通信のための装置であって、
超高速スループット信号（ＶＨＴ−ＳＩＧ）フィールドを構築するように構成された回路と、
前記ＶＨＴ−ＳＩＧフィールドの１つまたは複数のビットをスクランブルするように構成された符号器と、
ワイヤレスチャネル上で、１つまたは複数のスクランブルされたビットを含んで前記ＶＨＴ−ＳＩＧフィールドを送信するように構成された送信機と、
を備える装置。
【請求項２２】
ワイヤレス通信のための実行可能な命令を含むコンピュータ可読媒体であって、前記実行可能な命令は、
超高速スループット信号（ＶＨＴ−ＳＩＧ）フィールドを構築するための命令と、
前記ＶＨＴ−ＳＩＧフィールドの１つまたは複数のビットをスクランブルするための命令と、
第１のサイズの帯域幅を使用することによって、ワイヤレスチャネル上で、１つまたは複数のスクランブルされたビットを含んで前記ＶＨＴ−ＳＩＧフィールドを送信するための命令と、
を備える、
コンピュータ可読媒体。
【請求項２３】
アクセスポイントであって、
少なくとも１つのアンテナと、
超高速スループット信号（ＶＨＴ−ＳＩＧ）フィールドを構築するように構成された回路と、
前記ＶＨＴ−ＳＩＧフィールドの１つまたは複数のビットをスクランブルするように構成された符号器と、
ワイヤレスチャネル上で、１つまたは複数のスクランブルされたビットを含んで前記ＶＨＴ−ＳＩＧフィールドを前記少なくとも１つのアンテナを介して送信するように構成された送信機と、
を備えるアクセスポイント。
【請求項２４】
ワイヤレス通信のための方法であって、
送信前のスクランブリングを介して変更された１つまたは複数のビットを含んだ超高速スループット信号（ＶＨＴ−ＳＩＧ）フィールドを含む送信を、ワイヤレスチャネル上で、受信することと、
前記ＶＨＴ−ＳＩＧフィールドの前記１つまたは複数のスクランブルされたビットをデスクランブルすることと、
を備える方法。
【請求項２５】
前記スクランブリングは、前記送信されたＶＨＴ−ＳＩＧフィールドのピーク対平均電力比（ＰＡＰＲ）を低減するように設計される、請求項２４に記載の方法。
【請求項２６】
前記スクランブリングは、
前記ＶＨＴ−ＳＩＧフィールドにおける１つまたは複数のビットの値を反転すること、
を備える、
請求項２４に記載の方法。
【請求項２７】
前記スクランブリングは、
シングルユーザ（ＳＵ）送信を示すために、前記ＶＨＴ−ＳＩＧフィールドのグループＩＤビットの値を１１１１１１に設定すること、
を備え、前記方法は、
グループＩＤビットの前記値に基づいて前記ＳＵ送信として前記送信を識別すること、
をさらに備える請求項２４に記載の方法。
【請求項２８】
前記スクランブリングは、既知のシードでスクランブルすることを実行すること、を備える、請求項２４に記載の方法。
【請求項２９】
前記スクランブリングは、可変シードでスクランブルすることを実行すること、を備える、請求項２４に記載の方法。
【請求項３０】
前記スクランブリングは、前記送信されたＶＨＴ−ＳＩＧフィールドの予期されたＰＡＰＲを低減するために１つまたは複数のリザーブされたビットを再配置すること、を備える、請求項２４に記載の方法。
【請求項３１】
前記スクランブリングは、
前記送信されたＶＨＴ−ＳＩＧフィールドのアソシエーション識別子（ＡＩＤ）サブフィールドを、１つまたは複数の値のセットから選ばれた値に設定すること、
を備え、前記ＶＨＴ−ＳＩＧフィールドのグループ識別子（ＧＩＤ）サブフィールドは、シングルユーザ（ＳＵ）送信を示す定義された値に設定される、
請求項２４に記載の方法。
【請求項３２】
前記セットにおける前記１つまたは複数の値は、
前記送信されたＶＨＴ−ＳＩＧフィールドのピーク対平均電力比（ＰＡＰＲ）についての複数の値のうちの最大値、
前記送信されたＶＨＴ−ＳＩＧフィールドのＰＡＰＲについての前記複数の値の平均値、または、
前記最大値および前記平均値の和、
のうちの少なくとも１つを減らすために決定される、請求項３１に記載の方法。
【請求項３３】
別のＶＨＴ−ＳＩＧフィールドのアソシエーション識別子（ＡＩＤ）サブフィールドを１つまたは複数の値のセットからランダムに選ばれた値に設定することと、
他のＶＨＴ−ＳＩＧフィールドを送信することと、
をさらに備える請求項２４に記載の方法。
【請求項３４】
ワイヤレス通信のための装置であって、
送信前にスクランブルすることによって変更された１つまたは複数のビットを含んだ超高速スループット信号（ＶＨＴ−ＳＩＧ）フィールドを含む送信を、ワイヤレスチャネル上で、受信するための手段と、
前記ＶＨＴ−ＳＩＧフィールドの前記１つまたは複数のスクランブルされたビットをデスクランブルするための手段と、
を備える装置。
【請求項３５】
前記スクランブルするための手段は、前記送信されたＶＨＴ−ＳＩＧフィールドのピーク対平均電力比（ＰＡＰＲ）を低減するように設計される、請求項３４に記載の装置。
【請求項３６】
前記スクランブルするための手段は、前記ＶＨＴ−ＳＩＧフィールドにおける１つまたは複数のビットの値を反転するための手段、を備える、請求項３４に記載の装置。
【請求項３７】
前記スクランブルするための手段は、
シングルユーザ（ＳＵ）送信を示すために、前記ＶＨＴ−ＳＩＧフィールドのグループＩＤビットの値を１１１１１１に設定するための手段、
を備え、
前記装置は、
グループＩＤビットの前記値に基づいて前記ＳＵ送信として前記送信を識別するための手段、
をさらに備える、
請求項３４に記載の装置。
【請求項３８】
前記スクランブルするための手段は、既知のシードでスクランブルを実行するための手段、を備える、請求項３４に記載の装置。
【請求項３９】
前記スクランブルするための手段は、可変シードでスクランブルを実行するための手段、を備える、請求項３４に記載の装置。
【請求項４０】
前記スクランブルするための手段は、前記送信されたＶＨＴ−ＳＩＧフィールドの予期されたＰＡＰＲを低減するために１つまたは複数のリザーブされたビットを再配置するための手段、を備える、請求項３４に記載の装置。
【請求項４１】
前記スクランブルするための手段は、
前記送信されたＶＨＴ−ＳＩＧフィールドのアソシエーション識別子（ＡＩＤ）サブフィールドを、１つまたは複数の値のセットから選ばれた値に設定するための手段、
を備え、前記ＶＨＴ−ＳＩＧフィールドのグループ識別子（ＧＩＤ）サブフィールドは、シングルユーザ（ＳＵ）送信を示す定義された値に設定される、
請求項３４に記載の装置。
【請求項４２】
前記セットにおける前記１つまたは複数の値は、
前記送信されたＶＨＴ−ＳＩＧフィールドのピーク対平均電力比（ＰＡＰＲ）についての複数の値のうちの最大値、
前記送信されたＶＨＴ−ＳＩＧフィールドのＰＡＰＲについての前記複数の値の平均値、または、
前記最大値および前記平均値の和、
のうちの少なくとも１つを減らすために決定される、請求項４１に記載の装置。
【請求項４３】
別のＶＨＴ−ＳＩＧフィールドのアソシエーション識別子（ＡＩＤ）サブフィールドを１つまたは複数の値のセットからランダムに選ばれた値に設定するための手段と、
他のＶＨＴ−ＳＩＧフィールドを送信するための手段と、
をさらに備える請求項３４に記載の装置。
【請求項４４】
送信前のスクランブリングを介して変更された１つまたは複数のビットを含んだ超高速スループット信号（ＶＨＴ−ＳＩＧ）フィールドを含む送信を、ワイヤレスチャネル上で、受信するように構成された受信機と、
前記ＶＨＴ−ＳＩＧフィールドの前記１つまたは複数のスクランブルされたビットをデスクランブルするように構成された復号器と、
を備えるワイヤレス通信のための装置。
【請求項４５】
ワイヤレス通信のための実行可能な命令を含むコンピュータ可読媒体であって、
前記実行可能な命令は、
送信前のスクランブリングを介して変更された１つまたは複数のビットを含んだ超高速スループット信号（ＶＨＴ−ＳＩＧ）フィールドを含む送信を、ワイヤレスチャネル上で、受信するための命令と、
前記ＶＨＴ−ＳＩＧフィールドの前記１つまたは複数のスクランブルされたビットをデスクランブルするための命令と、
を備える、
コンピュータ可読媒体。
【請求項４６】
少なくとも１つのアンテナと、
送信前のスクランブリングを介して変更された１つまたは複数のビットを含んだ超高速スループット信号（ＶＨＴ−ＳＩＧ）フィールドを含む送信を、前記少なくとも１つのアンテナを介して、ワイヤレスチャネル上で、受信するように構成された受信機と、
前記ＶＨＴ−ＳＩＧフィールドの前記１つまたは複数のスクランブルされたビットをデスクランブルするように構成された復号器と、
を備えるアクセス端末。
【発明の詳細な説明】
【優先権主張】
【０００１】
（米国特許法§１１９の下の優先権主張）
本特許出願は、ここでの譲受人に譲渡され、ここにおいて参照により明示的に組み込まれた、２０１０年８月１１日に出願された米国仮特許出願第６１／３７２，７９０号(Attorney Docket number 102638P1)、２０１０年９月２２日に出願された米国仮特許出願第６１／３８５，３９０号(Attorney Docket number 102638P2)、２０１０年１０月６日に出願された米国仮特許出願第６１／３９０，５４３号(Attorney Docket number 102638P3)、２０１０年１０月２６日に出願された米国仮特許出願第６１／４０６，９０３号(Attorney Docket number 102638P4)、および２０１０年１２月３日に出願された米国仮特許出願第６１／４１９，６５２号(Attorney Docket number 102638P5)、の優先権を主張する。
【背景】
【０００２】
（分野）
本開示のある態様は、一般的にはワイヤレス通信に関し、より具体的には、送信のピーク対平均電力比（peak-to-average power ratio）(ＰＡＰＲ）を低減する(reduce)ことを助けることができる送信プリアンブル内での信号フィールドの構築(construction)に関する。
【０００３】
（背景技術）
電気電子技術者協会（ＩＥＥＥ）８０２．１１の広域ローカルエリアネットワーク（ＷＬＡＮ）規格団体は、１秒ごとに１ギガビットより大きいアグリゲートスループットをターゲットとして、５ＧＨｚのキャリア周波数（すなわち、ＩＥＥＥ８０２．１１ａｃ仕様）を使用して、または、６０ＧＨｚのキャリア周波数（すなわち、ＩＥＥＥ８０２．１１ａｄ仕様）を使用して、超高速スループット（ＶＨＴ）手法に基づいて送信のための仕様を確立した。ＶＨＴ５ＧＨｚ仕様のイネーブリング技術のうちの１つは、広域チャネル帯域幅であり、そしてそれは、８０ＭＨｚ帯域幅について２つの４０ＭＨｚチャネルを接合するので、ＩＥＥＥ８０２．１１ｎ規格と比べてコストにおけるごくわずかな増加で、物理層（ＰＨＹ）データレートを倍にする。
【０００４】
ＶＨＴ信号(VHT Signal)（ＶＨＴ−ＳＩＧ）フィールドは送信プリアンブルの一部分で、対応する送信の様々な特徴を示すために利用されることができる。
【発明の概要】
【０００５】
本開示のある態様は、ワイヤレス通信のための方法を提供する。本方法は一般的に、超高速スループット信号(very high throughput signal)（ＶＨＴ−ＳＩＧ）フィールドを構築することと、ＶＨＴ−ＳＩＧフィールドの１つまたは複数のビットをスクランブルすること(scrambling)と、ワイヤレスチャネル上で、１つまたは複数のスクランブルされたビットを含んでＶＨＴ−ＳＩＧフィールド(the VHT-SIG field with one or more scrambled bits)を送信することと、を含む。
【０００６】
本開示のある態様は、ワイヤレス通信のための装置を提供する。本装置は一般的に、超高速スループット信号（ＶＨＴ−ＳＩＧ）フィールドを構築するための手段と、ＶＨＴ−ＳＩＧフィールドの１つまたは複数のビットをスクランブルするための手段と、ワイヤレスチャネル上で、１つまたは複数のスクランブルされたビットを含んでＶＨＴ−ＳＩＧフィールドを送信するための手段と、を含む。
【０００７】
本開示のある態様は、ワイヤレス通信のための装置を提供する。本装置は一般的に、超高速スループット信号（ＶＨＴ−ＳＩＧ）フィールドを構築するように構成された回路と、ＶＨＴ  ＳＩＧフィールドの１つまたは複数のビットをスクランブルするように構成された符号器と、およびワイヤレスチャネル上で１つまたは複数のスクランブルされたビットを含んでＶＨＴ−ＳＩＧフィールドを送信するように構成された送信機とを含む。
【０００８】
本開示のある態様は、ワイヤレス通信のための実行可能な命令を含むコンピュータ可読媒体を提供する。実行可能な命令は、一般的に、超高速スループット信号（ＶＨＴ−ＳＩＧ）フィールドを構築するための命令と、ＶＨＴ−ＳＩＧフィールドの１つまたは複数のビットをスクランブルするための命令と、第１サイズの帯域幅を使用することによって、ワイヤレスチャネル上で、１つまたは複数のスクランブルされたビットを含んでＶＨＴ−ＳＩＧフィールドを送信するための命令を含む。
【０００９】
本開示のある態様は、アクセスポイントを提供する。アクセスポイントは、一般的には、少なくとも１つのアンテナと、超高速スループット信号（ＶＨＴ−ＳＩＧ）フィールドを構築するように構成された回路と、ＶＨＴ−ＳＩＧフィールドの１つまたは複数のビットをスクランブルするように構成された符号器と、ワイヤレスチャネル上で、１つまたは複数のスクランブルされたビットを含んでＶＨＴ−ＳＩＧフィールドを少なくとも１つのアンテナを介して送信するように構成された送信機と、を含む。
【００１０】
本開示のある態様は、ワイヤレス通信のための方法を提供する。本方法は、一般的に、送信前のスクランブルを介して変更された１つまたは複数のビットを含んで超高速スループット信号（ＶＨＴ−ＳＩＧ）フィールドを含む送信を、ワイヤレスチャネル上で、受信することと、ＶＨＴ−ＳＩＧフィールドの１つまたは複数のスクランブルされたビットをデスクランブルする(de-scramble)ことと、を含む。
【００１１】
本開示のある態様は、ワイヤレス通信のための装置を提供する。本装置は、一般的に、送信前のスクランブリング(scrambling)を介して変更された１つまたは複数のビットを含んだ超高速スループット信号（ＶＨＴ−ＳＩＧ）フィールドを含む送信を、ワイヤレスチャネル上で、受信するための手段と、ＶＨＴ−ＳＩＧフィールドの１つまたは複数のスクランブルされたビットをデスクランブルするための手段と、を含む。
【００１２】
本開示のある態様は、ワイヤレス通信のための装置を提供する。本装置は、一般的に、送信前のスクランブリングを介して変更された１つまたは複数のビットを用いた超高速スループット信号（ＶＨＴ−ＳＩＧ）フィールドを含む送信を、ワイヤレスチャネル上で、受信するように構成された受信機と、ＶＨＴ−ＳＩＧフィールドの１つまたは複数のスクランブルされたビットをデスクランブルするように構成された復号器(decoder configured to de-scramble the one or more scrambled bits of the VHT-SIG field scramble one or more bits of the VHT-SIG field)と、を含む。
【００１３】
本開示のある態様は、ワイヤレス通信のための実行可能な命令を含むコンピュータ可読媒体を提供する。実行可能な命令は、一般的に、送信前のスクランブリングを介して変更された１つまたは複数のビットを含んだ超高速スループット信号（ＶＨＴ−ＳＩＧ）フィールドを含む送信を、ワイヤレスチャネル上で、受信するための命令と、ＶＨＴ−ＳＩＧフィールドの１つまたは複数のスクランブルされたビットをデスクランブルするための命令と、を含む。
【００１４】
本開示のある態様は、アクセス端末を提供する。アクセス端末は、一般的に、少なくとも１つのアンテナと、送信前のスクランブリングを介して変更された１つまたは複数のビットを含んだ超高速スループット信号（ＶＨＴ−ＳＩＧ）フィールドを含む送信を、少なくとも１つのアンテナを介して、ワイヤレスチャネル上で、受信するように構成された受信機と、ＶＨＴ−ＳＩＧフィールドの１つまたは複数のスクランブルされたビットをデスクランブルするように構成された復号器(decoder configured to de-scramble the one or more scrambled bits of the VHT-SIG field scramble one or more bits of the VHT-SIG field)と、を含む。
【００１５】
本開示の上述された特徴が詳細に理解されることができる方法となるように、上記で簡単に要約される、より具体的な説明は、態様を参照することによって、なされ、それらのうちのいくつかは、添付図面で図示されている。しかしながら、添付図面は、本開示のある典型的な態様のみを図示しているので、その範囲を制限するものとみなされない、なぜならばその説明は他の均等の効果的な態様に対して認めることができるからである。
【図面の簡単な説明】
【００１６】
【図１】図１は、本開示のある態様による、ワイヤレス通信ネットワークの図を図示する。
【図２】図２は、本開示のある態様による、図１のワイヤレス通信ネットワーク内のワイヤレスノードの物理層（ＰＨＹ）の信号処理機能の例のブロック図を図示する。
【図３】図３は、本開示のある態様による、図１のワイヤレス通信ネットワーク内のワイヤレスノードにおける処理システムのための例示的なハードウェア構成のブロック図を図示する。
【図４】図４は、本開示のある態様による、超高速スループット信号（ＶＨＴ−ＳＩＧ）フィールドを構築し送信するための例示的なオペレーションを図示する。
【図４Ａ】図４Ａは、図４で図示されたオペレーションを実行することができる例示的なコンポーネントを図示する。
【図５】図５は、本開示のある態様による、超高速スループット信号（ＶＨＴ−ＳＩＧ）フィールドを受信し処理するための例示的なオペレーションを図示する。
【図５Ａ】図５Ａは、図５で図示されたオペレーションを実行することができる例示的なコンポーネントを図示する。
【図６】図６は、本開示のある態様による、例示的なＶＨＴ−ＳＩＧフィールド値を図示する。
【図７】図７は、本開示のある態様による、異なるパケットタイプについての例示的なピーク対平均電力比（ＰＡＰＲ）結果の表を図示する。
【図８】図８は、本開示のある態様による、データのための例示的なＰＡＰＲ結果を図示する。
【図９】図９〜図１１は、本開示のある態様によるＶＨＴ−ＳＩＧにおける異なるアソシエーション識別子（ＡＩＤ）シーケンスのための例示的なＰＡＰＲ結果を図示する。
【図１０】図９〜図１１は、本開示のある態様によるＶＨＴ−ＳＩＧにおける異なるアソシエーション識別子（ＡＩＤ）シーケンスのための例示的なＰＡＰＲ結果を図示する。
【図１１】図９〜図１１は、本開示のある態様によるＶＨＴ−ＳＩＧにおける異なるアソシエーション識別子（ＡＩＤ）シーケンスのための例示的なＰＡＰＲ結果を図示する。
【図１２Ａ】図１２Ａ−図１２Ｅは、本開示のある態様による、ユーザ局からアクセスポイントへと送信されたＶＨＴ−ＳＩＧフィールドにおける異なるＡＩＤシーケンスのための例示的なＰＡＰＲ結果を図示する。
【図１２Ｂ】図１２Ａ−図１２Ｅは、本開示のある態様による、ユーザ局からアクセスポイントへと送信されたＶＨＴ−ＳＩＧフィールドにおける異なるＡＩＤシーケンスのための例示的なＰＡＰＲ結果を図示する。
【図１２Ｃ】図１２Ａ−図１２Ｅは、本開示のある態様による、ユーザ局からアクセスポイントへと送信されたＶＨＴ−ＳＩＧフィールドにおける異なるＡＩＤシーケンスのための例示的なＰＡＰＲ結果を図示する。
【図１２Ｄ】図１２Ａ−図１２Ｅは、本開示のある態様による、ユーザ局からアクセスポイントへと送信されたＶＨＴ−ＳＩＧフィールドにおける異なるＡＩＤシーケンスのための例示的なＰＡＰＲ結果を図示する。
【図１２Ｅ】図１２Ａ−図１２Ｅは、本開示のある態様による、ユーザ局からアクセスポイントへと送信されたＶＨＴ−ＳＩＧフィールドにおける異なるＡＩＤシーケンスのための例示的なＰＡＰＲ結果を図示する。
【図１３Ａ】図１３Ａ−図１３Ｅは、本開示のある態様による、ＶＨＴ−ＳＩＧフィールドにおける異なるＡＩＤシーケンスのための例示的な最悪の場合のＰＡＰＲ結果を図示する。
【図１３Ｂ】図１３Ａ−図１３Ｅは、本開示のある態様による、ＶＨＴ−ＳＩＧフィールドにおける異なるＡＩＤシーケンスのための例示的な最悪の場合のＰＡＰＲ結果を図示する。
【図１３Ｃ】図１３Ａ−図１３Ｅは、本開示のある態様による、ＶＨＴ−ＳＩＧフィールドにおける異なるＡＩＤシーケンスのための例示的な最悪の場合のＰＡＰＲ結果を図示する。
【図１３Ｄ】図１３Ａ−図１３Ｅは、本開示のある態様による、ＶＨＴ−ＳＩＧフィールドにおける異なるＡＩＤシーケンスのための例示的な最悪の場合のＰＡＰＲ結果を図示する。
【図１３Ｅ】図１３Ａ−図１３Ｅは、本開示のある態様による、ＶＨＴ−ＳＩＧフィールドにおける異なるＡＩＤシーケンスのための例示的な最悪の場合のＰＡＰＲ結果を図示する。
【図１４Ａ】図１４Ａ−１４Ｂは、本開示のある態様による、ＶＨＴ−ＳＩＧＡ１フィールドおよびＶＨＴ−ＳＩＧＡ２フィールドの例示的なＰＡＰＲ結果を図示する。
【図１４Ｂ】図１４Ａ−１４Ｂは、本開示のある態様による、ＶＨＴ−ＳＩＧＡ１フィールドおよびＶＨＴ−ＳＩＧＡ２フィールドの例示的なＰＡＰＲ結果を図示する。
【図１５Ａ】図１５Ａ−図１５Ｂは、本開示のある態様による、ＶＨＴ−ＳＩＧＡのほとんどのフィールドが０であるときのＶＨＴ−ＳＩＧＡの例示的なＰＡＰＲ結果を図示する。
【図１５Ｂ】図１５Ａ−図１５Ｂは、本開示のある態様による、ＶＨＴ−ＳＩＧＡのほとんどのフィールドが０であるときのＶＨＴ−ＳＩＧＡの例示的なＰＡＰＲ結果を図示する。
【図１６Ａ】図１６Ａ−図１６Ｂは、本開示のある態様による、ＶＨＴ−ＳＩＧＢのほとんどのフィールドが０であるときのＶＨＴ−ＳＩＧＢの例示的なＰＡＰＲ結果を図示する。
【図１６Ｂ】図１６Ａ−図１６Ｂは、本開示のある態様による、ＶＨＴ−ＳＩＧＢのほとんどのフィールドが０であるときのＶＨＴ−ＳＩＧＢの例示的なＰＡＰＲ結果を図示する。
【図１７Ａ】図１７Ａ−図１７Ｂは、本開示のある態様による、ＶＨＴ−ＳＩＧがすべて１を備えるときのＶＨＴ−ＳＩＧフィールドの例示的なＰＡＰＲ結果を図示する。
【図１７Ｂ】図１７Ａ−図１７Ｂは、本開示のある態様による、ＶＨＴ−ＳＩＧがすべて１を備えるときのＶＨＴ−ＳＩＧフィールドの例示的なＰＡＰＲ結果を図示する。
【図１８Ａ】図１８Ａ−１８Ｄは、本開示のある態様による、ＶＨＴ−ＳＩＧＡ１フィールドおよびＶＨＴ−ＳＩＧＡ２フィールドの例示的なＰＡＰＲ結果を図示する。
【図１８Ｂ】図１８Ａ−１８Ｄは、本開示のある態様による、ＶＨＴ−ＳＩＧＡ１フィールドおよびＶＨＴ−ＳＩＧＡ２フィールドの例示的なＰＡＰＲ結果を図示する。
【図１８Ｃ】図１８Ａ−１８Ｄは、本開示のある態様による、ＶＨＴ−ＳＩＧＡ１フィールドおよびＶＨＴ−ＳＩＧＡ２フィールドの例示的なＰＡＰＲ結果を図示する。
【図１８Ｄ】図１８Ａ−１８Ｄは、本開示のある態様による、ＶＨＴ−ＳＩＧＡ１フィールドおよびＶＨＴ−ＳＩＧＡ２フィールドの例示的なＰＡＰＲ結果を図示する。
【図１９Ａ】図１９Ａ−図１９Ｂは、本開示のある態様によるシングルユーザ（ＳＵ）通信のための本開示のある態様によるＶＨＴ−ＳＩＧＡ１フィールドおよびＶＨＴ−ＳＩＧＡ２フィールドの例示的なＰＡＰＲ結果を図示する。
【図１９Ｂ】図１９Ａ−図１９Ｂは、本開示のある態様によるシングルユーザ（ＳＵ）通信のための本開示のある態様によるＶＨＴ−ＳＩＧＡ１フィールドおよびＶＨＴ−ＳＩＧＡ２フィールドの例示的なＰＡＰＲ結果を図示する。
【詳細な説明】
【００１７】
本開示の様々な態様は、図面を参照して以下により詳細に説明される。しかしながら、本開示は、多くの異なる形式で具現化されうる、また、本開示全体で示されるいずれの具体的な構造または機能に限定されるとして解釈されるべきではない。むしろ、これらの態様は本開示が徹底で完全であるように提供され、当業者に本開示の範囲を十分に伝えるであろう。ここにおける教示に基づいて、当業者は、本開示のいずれの他の態様と組み合わせてまたは独立して実装されるにかかわらず、本開示の範囲がここに開示される本開示のいずれの態様もカバーするように意図されるということを理解すべきである。例えば、ここにおいて記載される任意の数の態様を使用して、本装置は実装されうる、または、本方法は実行されうる。さらに、本開示の範囲は、ここに記載される本開示の様々な態様のほかにまたは加えて、他の構造、機能、または構造および機能を使用して実行されるこのような装置または方法をカバーするように意図される。ここにおいて開示される本開示のいずれの態様も特許請求の範囲の１つまたは複数の構成要素によって具現化されうるということは理解されるべきである。
【００１８】
用語「例示的な(exemplary)」は、「例(example)、インスタンス(instance)、または例証(illustration)として機能している」ということを意味するように、ここでは使用されている。「例示的な(exemplary)」としてここに説明される態様はいずれも、他の態様よりも好ましいまたは有利であるものとして、必ずしも解釈されるべきではない。
【００１９】
特定の態様はここにおいて説明されているが、これらの態様の多くの変形および置き換えは、本開示の範囲内にある。好ましい態様のうちのいくつかの利益および利点が述べられているが、本開示の範囲は、特定の利益、使用、または、目的に限定されるように意図されない。むしろ、本開示の態様は、異なるワイヤレス技術、システム構成、ネットワーク、および送信プロトコルに広く適用可能であるように意図されており、それらのうちのいくつかは、図面において、そして、好ましい態様の下記の説明において、例として説明されている。詳細な説明および図面は、限定というよりはむしろ本開示の単なる説明であり、本開示の範囲は、特許請求の範囲とその均等物によって定義されている。
【００２０】
例示的なワイヤレス通信システム(AN EXAMPLE WIRELESS COMMUNICATION SYSTEM)
ここにおいて説明された技法は、直交多重化スキームに基づく通信システムを含んでいる様々なブロードバンドワイヤレス通信システムに使用されうる。このような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するために十分に異なる方向(sufficiently different directions)を利用しうる。ＴＤＭＡシステムは、複数のユーザ端末が送信信号を異なるタイムスロットに分割することによって同じ周波数チャネルを共有することを可能にし、各タイムスロットは、異なるユーザ端末に割り当てられる。ＴＤＭＡシステムは、ＧＳＭ（登録商標）または当技術分野で知られている他の何らかの規格を実装しうる。ＯＦＤＭＡシステムは、直交周波数分割多重化（ＯＦＤＭ）を利用し、そしてそれは、全体システムの帯域幅を複数の直交サブキャリアへと分割する変調技法である。これらのサブキャリアはまた、トーン、ビン、などと呼ばれうる。ＯＦＤＭを用いて、各サブキャリアは、データと独立的に変調されうる。ＯＦＤＭシステムは、ＩＥＥＥ８０２．１１または当技術分野で知られている他の何らかの規格を実装しうる。ＳＣ−ＦＤＭＡシステムは、システム帯域幅にわたって分散されるサブキャリア上で送信するためにインタリーブされたＦＤＭＡ（interleaved FDMA）（ＩＦＤＭＡ）を使用し、隣接するサブキャリアのブロック上で送信するためにローカライズされたＦＤＭＡ（localized FDMA）（ＬＦＤＭＡ）を使用し、または、隣接するサブキャリアの複数ブロック上で送信するために強化されたＦＤＭＡ（enhanced FDMA）（ＥＦＤＭＡ）を使用しうる。一般に、変調シンボルは、ＯＦＤＭを用いて周波数領域で送信され、およびＳＣ−ＦＤＭＡを用いて時間領域で送信される。ＳＣ−ＦＤＭＡシステムは、３ＧＰＰ−ＬＴＥ（第３世代パートナーシッププロジェクトロングタームエボリューション）または当技術分野で知られている他の何らかの規格を実装しうる。
【００２１】
ここにおける教示は、様々なワイヤード装置またはワイヤレス装置（例えばノード）に組み込まれうる（例えば、様々なワイヤード装置またはワイヤレス装置内で実装されうる、または、様々なワイヤード装置またはワイヤレス装置によって実行されうる）。いくつかの態様では、ノードはワイヤレスノードを備える。このようなワイヤレスノードは、例えば、ネットワークへのワイヤード通信リンクまたはワイヤレス通信リンクを介して、ネットワークに対して、またはネットワークについて（例えば、インターネットまたはセルラネットワークのような広域ネットワーク）を提供しうる。いくつかの態様では、ここにおける教示にしたがって実装されるワイヤレスノードは、アクセスポイントまたはアクセス端末を備えうる。
【００２２】
アクセスポイント（「ＡＰ」）は、ＮｏｄｅＢ、ラジオネットワークコントローラ（「ＲＮＣ」）、ｅＮｏｄｅＢ、基地局コントローラ（「ＢＳＣ」）、ベーストランシーバ局（「ＢＴＳ」）、基地局（「ＢＳ」）、トランシーバ機能（「ＴＦ」）、ラジオルータ(Radio Router)、ラジオトランシーバ(Radio Transceiver)、ベーシックサービスセット（「ＢＳＳ」）、拡張サービスセット（「ＥＳＳ」）、ラジオ基地局（「ＲＢＳ」）、または、何らかの他の用語、を備えうる、それらとして実装されうる、またはそれらとして知られうる。ある実装では、アクセスポイントは、セットトップボックスキオスク、メディアセンタ、または、ワイヤレス媒体またはワイヤード媒体を介して通信するように構成されるいずれの他の適切なデバイスを備えうる。本開示のある態様によれば、アクセスポイントは、ワイヤレス通信規格の電気電子技術者協会（ＩＥＥＥ）８０２．１１ファミリに従って動作しうる。
【００２３】
アクセス端末（「ＡＴ」）は、アクセス端末、加入者局、加入者ユニット、モバイル局、遠隔局、遠隔端末、ユーザ端末、ユーザエージェント、ユーザデバイス、ユーザ機器、ユーザ局、または何らかの他の用語を備えうる、または、それらとして実装されうる、または、それらとして知られうる。いくつかの実装では、アクセス端末はセルラ電話、コードレス電話、セッションイニシエーションプロトコル（「ＳＩＰ」）電話、ワイヤレスローカルループ（「ＷＬＬ」）局、携帯情報端末（「ＰＤＡ」）、ワイヤレス接続機能を有するハンドへルドデバイス、局（「ＳＴＡ」）、あるいはワイヤレスモデムに接続された何らかの他の適切な処理デバイスを備えうる。したがって、ここにおいて教示される１つまたは複数の態様が、フォン（例えば、セルラ電話またはスマートフォン）、コンピュータ（例えばラップトップ）、ポータブル通信デバイス、ポータブルコンピューティングデバイス（例えば、携帯情報端末）、タブレット、エンタテイメントデバイス（例えばミュージックまたはビデオデバイスあるいは衛星ラジオ）、テレビディスプレイ、フリップカム（flip-cam）、セキュリティビデオカメラ、デジタルビデオレコーダ（ＤＶＲ）、全地球測位システムデバイス、あるいはワイヤレス媒体またはワイヤード媒体を介して通信するように構成される他の適切なデバイスへと組み込まれうる。本開示のある態様によれば、アクセス端末は、ワイヤレス通信規格のＩＥＥＥ８０２．１１ファミリに従って動作しうる。
【００２４】
ワイヤレスネットワークのいくつかの態様は、図１を参照して提示される。ワイヤレスネットワーク１００は、いくつかのワイヤレスノードと共に示されており、それらは、一般的にはノード１１０と１２０と指定される。各ワイヤレスノードは、受信および／または送信することが可能である。以下に続く説明では、用語「受信ノード」は、受信しているノードを指すように使用され、用語「送信ノード」は、送信しているノードを指すように使用されうる。このような参照は、ノードが送信オペレーションと受信オペレーションの両方を実行することができないということを意味していない。
【００２５】
下記の詳細な説明の中では、ダウンリンク通信の場合、用語「アクセスポイント」は、送信ノードを指定するために使用され、用語「アクセス端末」は、受信ノードを指定するために使用されるが、アップリンク通信の場合、用語「アクセスポイント」は、受信ノードを指定するために使用され、用語「アクセス端末」は、送信ノードを指定するために使用される。しかしながら、当業者は、他の用語または呼称はアクセスポイントおよび／またはアクセス端末に使用されうるということを容易に理解するであろう。例えば、アクセスポイントは、基地局、ベーストランシーバ局、局、端末、ノード、アクセスポイントとして作用しているアクセス端末、または何らかの他の適切な用語と呼ばれうる。アクセス端末は、ユーザ端末、モバイル局、加入者局、局、ワイヤレスデバイス、端末、ノード、または何らかの他の適切な用語と呼ばれうる。本開示全体で記載される様々な概念は、それらの特定の術語に関係なく、すべての適切なワイヤレスノードに適用するように意図される。
【００２６】
ワイヤレスネットワーク１００は、アクセス端末１２０についてのカバレッジを提供するために地理的領域全体に分散されている任意の数のアクセスポイントをサポートしうる。システムコントローラ１３０は、アクセスポイントの調整および制御と、アクセス端末１２０の他のネットワーク（例、インターネット）へのアクセスを提供するために使用されうる。簡略化のため、１つのアクセスポイント１１０が図示されている。アクセスポイントは一般的に、カバレッジの地理領域においてアクセス端末に対してバックホールサービスを提供する固定端末であるが、アクセスポイントは、いくつかのアプリケーションにおいてはモバイル式でありうる。固定式またはモバイル式でありうるアクセス端末は、アクセスポイントのバックホールサービスを使用する、または、他のアクセス端末とのピア・ツー・ピア通信に従事する。アクセス端末の例は、電話（例えば、セルラ電話）、ラップトップコンピュータ、デスクトップコンピュータ、携帯情報端末（ＰＤＡ）、デジタルオーディオプレイヤー（例えば、ＭＰ３プレイヤー）、カメラ、ゲームコンソール、またはいずれの他の適切なワイヤレスノードを含む。
【００２７】
１つまたは複数のアクセス端末１２０は、ある機能を可能にするためにマルチプルアンテナを備えうる。この構成により、例えば、アクセスポイント１１０でのマルチプルアンテナは、帯域幅または送信電力を追加することなく、データスループットを改良するためにマルチプルアンテナアクセス端末と通信するために使用されうる。このことは、送信機における高速データレート信号を異なる空間シグネチャで複数のより低いレートのデータストリームに分けることによって達成され、したがって、受信機が、これらのストリームを複数チャネルに分け、高速レートのデータ信号を復元するためにストリームを適切に合成すること、を可能にする。
【００２８】
下記の開示の部分は、多入力多出力（ＭＩＭＯ）技術もサポートするアクセス端末を説明するが、アクセスポイント１１０はまた、ＭＩＭＯ技術をサポートしていないアクセス端末をサポートするように構成されうる。この手法は、アクセス端末のより古いバージョン（すなわち「レガシ」端末）が、それらの有用な寿命時間を延長して、ワイヤレスネットワークで展開され続けることを可能にし、必要に応じて、より新しいＭＩＭＯアクセス端末が導入されることを可能にする。
【００２９】
以下の詳細な説明では、本発明の様々な態様が直交周波数分割多重化（ＯＦＤＭ）のようないずれの適切なワイヤレス技術をサポートしているＭＩＭＯシステムを参照して説明される。ＯＦＤＭは、精確な周波数で間隙を介した多数のサブキャリア上でデータを分散させる技術である。間隔を介することは、受信機がサブキャリアからデータを復元することを可能にする「直交性」を提供する。ＯＦＤＭシステムは、ＩＥＥＥ８０２．１１または他の何らかのエアインタフェース規格を実装しうる。他の適切なワイヤレス技術は、例えば、符号分割多元接続（ＣＤＭＡ）、時分割多元接続（ＴＤＭＡ）、または、いずれの他の適切なワイヤレス技術、または、適切なワイヤレス技術のいずれの組み合わせ、を含む。ＣＤＭＡシステムは、ＩＳ−２０００、ＩＳ−９５、ＩＳ−８５６、広域ＣＤＭＡ（ＷＣＤＭＡ（登録商標））、または、他の何らかの適切なエアインタフェース規格で実装しうる。ＴＤＭＡシステムは、モバイル通信のためのグローバルシステム（ＧＳＭ）または他の何らかの適切なエアインタフェース規格を実装しうる。当業者が容易に理解するように、本発明の様々な態様はいずれの具体的なワイヤレス技術および／またはエアインタフェース規格に限定されない。
【００３０】
本開示の態様では、トレーニングシーケンスは、アクセスポイント１１０で構築されうる。トレーニングシーケンスがユーザ端末１２０へとフレームのプリアンブル内で送信されている場合、トレーニングシーケンスの構築は、ピーク対平均電力比（ＰＡＰＲ）の所望レベルを提供しうる。別の態様では、トレーニングシーケンスは、アクセスポイント１１０に対してプリアンブル内で送信されたトレーニングシーケンスのＰＡＰＲが所望レベルにあるように、ユーザ端末１２０で構築されうる。
【００３１】
図２は、物理（ＰＨＹ）層の信号処理関数の例を図示している概念的なブロック図を図示する。送信モードでは、ＴＸデータプロセッサ２０２は、メディアアクセス制御（ＭＡＣ）層からデータを受信し、データを符号化（例えばターボ符号化）し、受信ノードにおいて順方向誤り訂正（ＦＥＣ）を容易にするために使用されうる。エンコーディングプロセスは、変調シンボルのシーケンスを生成するために、一緒にブロックされＴＸデータプロセッサ２０２によって信号コンスタレーションにマッピングされうるコードシンボルのシーケンスを結果としてもたらす。
【００３２】
ＯＦＤＭを実装するワイヤレスノードでは、ＴＸデータプロセッサ２０２からの変調シンボルは、ＯＦＤＭ変調器２０４に対して提供されうる。ＯＦＤＭ変調器２０４は、変調シンボルを並列ストリームへと分ける。各ストリームは、ＯＦＤＭサブキャリアへマッピングされ、その後で、逆高速フーリエ変換（ＩＦＦＴ）を使用して一緒に合成されて、時間領域ＯＦＤＭストリームを生成する。
【００３３】
ＴＸ空間プロセッサ２０６は、ＯＦＤＭストリーム上で空間処理を実行する。このことは、各ＯＦＤＭストリームを空間プレコードし、そのあとで、トランシーバ２０６を介して異なるアンテナ２０８に対して各空間プレコードされたストリームを提供することによって達成されうる。各送信機２０６は、ワイヤレスチャネル上の送信のためにそれぞれのプレコードされたストリームでＲＦキャリアを変調する。
【００３４】
受信モードでは、各トランシーバ２０６は、そのそれぞれのアンテナ２０８を通じて信号を受信する。各トランシーバ２０６は、ＲＦキャリア上へ変調された情報を復元し、ＲＸ空間プロセッサ２１０に情報を提供するために、使用されうる。
【００３５】
ＲＸ空間プロセッサ２１０は、ワイヤレスノード２００に宛てられたいずれの空間ストリームを復元するために情報に対して空間処理を実行する。空間処理は、チャネル相関行列反転(Channel Correlation Matrix Inversion)（ＣＣＭＩ）、最小平均二乗誤差(Minimum Mean Square Error)（ＭＭＳＥ）、ソフト干渉キャンセル(Soft Interference Cancellation)（ＳＩＣ）、すなわち、他の何らかの適切な技法にしたがって実行されうる。複数の空間ストリームがワイヤレスノード２００宛てである場合、それらは、ＲＸ空間プロセッサ２１０で合成されうる。
【００３６】
ＯＦＤＭを実装するワイヤレスノードでは、ＲＸ空間プロセッサ２１０からのストリーム（または合成ストリーム）は、ＯＦＤＭ復調器２１２に対して提供される。ＯＦＤＭ復調器２１２は、高速フーリエ変換（ＦＦＴ）を使用して、ストリーム（または合成ストリーム）を、時間領域から周波数領域へと変換する。周波数領域信号は、ＯＦＤＭ信号の各サブキャリアの個別ストリームを備える。ＯＦＤＭ復調器２１２は、各サブキャリア上で搬送されるデータ（すなわち、変調シンボル）を復元し、該データを変調シンボルのストリームへ多重化する。
【００３７】
ＲＸデータプロセッサ２１４は、変調シンボルを信号コンスタレーションの正しいポイントに変換するために使用されうる。ワイヤレスチャネルにおけるノイズおよび妨害のため、変調シンボルは、当初の信号コンスタレーションにおけるポイントの正確なロケーションに対応しないことがある。ＲＸデータプロセッサ２１４は信号コンスタレーションにおける有効なシンボルのロケーションと受信されたポイントとの間の最小距離を見つけることによってどの変調シンボルが送信された可能性が最も高いかを検出する。これらのソフト判定は、ターボ符号の場合、例えば、与えられた変調シンボルと関連づけられたコードシンボルの対数尤度比（ＬＬＲ）をコンピュートするために使用されうる。ＲＸデータプロセッサ２１４はＭＡＣ層にデータを提供する前に当初送信されたデータを復号するためにコードシンボルＬＬＲのシーケンスを使用する。
【００３８】
本開示の態様では、ワイヤレスノード２００のＴＸデータプロセッサ２０２は、トレーニングシーケンスを構築するように構成されうる。トレーニングシーケンスの構築は、トレーニングシーケンスが他のワイヤレスノード（図２では図示されず）にフレームのプリアンブル内で送信されるとき、ＰＡＰＲの所望レベルを提供するようなものでありうる。
【００３９】
図３は、ワイヤレスノードにおける処理システムのためのハードウェア構成の例を図示している概念図を図示する。この例では、処理システム３００は、一般的にバス３０２で表されるバスアーキテクチャで実装されうる。バス３０２は、処理システム３００の特定アプリケーションと全体的な設計制約に依存している、任意の数の相互接続しているバスとブリッジを含めうる。バスは、プロセッサ３０４、機械可読媒体３０６、およびバスインタフェース３０８を含んでいる様々な回路を一緒にリンクさせる。バスインタフェース３０８は、バス３０２を介して処理システム３００に対して、特に、ネットワークアダプタ３１０を接続するために使用されうる。ネットワークアダプタ３１０はＰＨＹ層の信号処理機能を実装するために使用されうる。アクセス端末１１０（図１参照）の場合、ユーザインタフェース３１２（例えば、キーパッド、ディスプレイ、マウス、ジョイスティックなど）はまたバスに接続されうる。バス３０２はまた、タイミングソース、周辺機器、電圧調整器、電力管理回路、および同様なもののような様々な他の回路もリンクさせ、そしてそれらは、当技術分野ではよく知られているので、さらには説明しない。
【００４０】
プロセッサ３０４は、機械可読媒体３０６上で格納されるソフトウェアの実行を含むバスおよび汎用処理を管理することを担う。プロセッサ３０４は、１つまたは複数の汎用および／または専用プロセッサで実装されうる。例は、マイクロプロセッサ、マイクロコントローラ、ＤＳＰプロセッサ、およびソフトウェアを実行することができる他の回路を含む。ソフトウェアは、ソフトウェア、ファームウェア、ミドルウェア、マイクロコード、ハードウェア記述言語または別の言葉で呼ばれていようが、命令、データ、または、そのいずれの組み合わせを意味するように広く解釈されるべきである。機械可読媒体は、例えば、ＲＡＭ（ランダムアクセスメモリ）、フラッシュメモリ、ＲＯＭ（読み出し専用メモリ）、ＰＲＯＭ（プログラマブル読み出し専用メモリ）、ＥＰＲＯＭ（消去可能プログラマブル読み出し専用メモリ）、ＥＥＰＲＯＭ（電子的消去可能プログラマブル読み出し専用メモリ）、レジスタ、磁気ディスク、光学ディスク、ハードドライブ、または、いずれの他の適切なストレージ媒体、または、それらのいずれの組み合わせ、を含めうる。機械可読媒体は、コンピュータプログラムプロダクトにおいて具現化されうる。コンピュータプログラムプロダクトは、パッケージング材料を備えうる。
【００４１】
図３で図示されたハードウェア実装では、機械可読媒体３０６は、プロセッサ３０４から離れた処理システム３００の一部として示されている。しかしながら、当業者であれば、機械可読媒体３０６、またはそのいずれの部分は、処理システム３００に外付けされうるということを容易に理解するであろう。例えば、機械可読媒体３０６は、送信線、データによって変調されたキャリア波、および／または、ワイヤレスノードと分けられたコンピュータプロダクト、を含めうる、そしてそれらすべては、バスインタフェース３０８を通じてプロセッサ３０４によってアクセスされうる。代替的に、または、追加的に、機械可読媒体３０６またはそのいずれの部分は、キャッシュおよび／または一般的なレジスタファイルに関する場合には、プロセッサ３０４に組み込まれうる。
【００４２】
処理システム３００は、プロセッサ機能を提供している１つまたは複数のマイクロプロセッサと、機械可読媒体３０６の少なくとも一部分を提供する外部メモリを備え、すべてが外部バスアーキテクチャを通じて他のサポートしている回路と一緒にリンクされている、汎用処理システムとして構成されうる。代替的には、処理システム３００は、プロセッサ３０４、バイスインタフェース３０８、ユーザインタフェース３１２（アクセス端末の場合）、サポートしている回路（図示されず）、および単一チップへと組み込まれた機械可読媒体３０６の少なくとも一部分を備えたＡＳＩＣ（特定用途向け集積回路）で、または、１つまたは複数のＦＰＧＡ（フィールドプログラマブルゲートアレイ）、ＰＬＤ（プログラマブル論理デバイス）、コントローラ、ステートマシン、ゲート制御された論理、ディスクリートハードウェアコンポーネント、または、いずれの他の適切な回路、または、本開示の全体にわたって説明された様々な機能を実行することができる回路のいずれの組み合わせで、実装されうる。当業者は、特定のアプリケーションと全体システムに課された全体的な設計制約に依存している処理システム３００の説明される機能をいかに最良に実装するかを理解するであろう。
【００４３】
図１のワイヤレスネットワーク１００は、５ＧＨｚのキャリア周波数（すなわち、ＩＥＥＥ８０２．１１ａｃ仕様）を使用して、または、１秒ごとに１ギガビットより大きいアグリゲートスループットをターゲットとする６０ＧＨｚのキャリア周波数（すなわち、ＩＥＥＥ８０２．１１ａｄ仕様）を使用して、信号送信のための超高速スループット（ＶＨＴ）プロトコルを利用するＩＥＥＥ８０２．１１広域ローカルエリアネットワーク（ＷＬＡＮ）を表しうる。ＶＨＴ５ＧＨｚ仕様は、広域チャネル帯域幅を使用し、８０ＭＨｚ帯域幅を達成するために２つの４０ＭＨｚチャネルを備えうるので、ＩＥＥＥ８０２．１１ｎと比べてごくわずかなコスト増加で、物理層（ＰＨＹ）データレートを倍にする。
【００４４】
本開示のある態様は、当技術分野で使用されるトレーニングシーケンスよりも低いピーク対平均電力比（ＰＡＰＲ）を提供しうるＶＨＴベースの送信のためにプリアンブル内でトレーニングシーケンスを構築することをサポートする。本開示の態様では、トレーニングシーケンスは、図３の処理システム３００のプロセッサ３０４によって構築されうる。
【００４５】
低減されたＰＡＰＲのＶＨＴ−ＳＩＧフィールドを構築すること(CONSTRUCTING VHT-SIG FIELDS FOR REDUCED PAPR)
超高速スループット信号（ＶＨＴ−ＳＩＧ）フィールドは対応する送信の様々な特徴を伝達するために使用されうる。ある態様によれば、プリアンブルは異なるタイプのＶＨＴ−ＳＩＧフィールドを備えうる、そしてそれは、プリアンブルの異なる部分に含まれうる。一例として、プリアンブルは、（例えば、１つまたは複数のより前のバージョンの規格による）プリアンブルの「レガシー」部分のＶＨＴ−ＳＩＧＡフィールド（超高速スループット信号フィールドタイプＡ）と、（例えば、１つまたは複数のより後のバージョンの規格によってプレコードされうる）プリアンブルの「ノンレガシー」部分のＶＨＴ−ＳＩＧＢフィールド（超高速スループット信号フィールドタイプＢ）とを備えうる。
【００４６】
ある態様によれば、ＶＨＴ−ＳＩＧＡフィールドのＳＩＧＡ１サブフィールドは、（図６で図示されるような）実際的なパケットについて、ほぼすべて「０」を備えうる。このような場合、符号化されたビットストリームは、ほぼ０を備えうる。いくつかの場合においては、このことは、ハイレベルのピーク対平均電力比（ＰＡＰＲ）を結果としてもたらしうる。ある態様によれば、そのような場合、ＶＨＴ−ＳＩＧフィールドの部分は、ＰＡＰＲを低減することを助ける方法でスクランブルされることができる。
【００４７】
図４は、本開示のある態様によるプリアンブルのＶＨＴ−ＳＩＧフィールドを構築し送信するための例示的なオペレーション４００を図示する。オペレーションは、例えば任意の送信デバイスにおいて実行されることができる。ある態様によれば、ＶＨＴ−ＳＩＧフィールドを送信することについて予期されたＰＡＰＲがあるしきい値を上回るときに、オペレーションが実行されうる。
【００４８】
オペレーション４００はＶＨＴ−ＳＩＧフィールドを構築することにより４０２で始まる。４０４において、ＶＨＴ−ＳＩＧフィールドの１つまたは複数のビットがスクランブルされうる。４０６において、１つまたは複数のスクランブルされたビットを含んでＶＨＴ−ＳＩＧフィールドが、ワイヤレスチャネル上で送信されうる。
【００４９】
図５は、本開示のある態様によるプリアンブルのＶＨＴ−ＳＩＧフィールドを受信し処理するための例示的なオペレーション５００を図示する。オペレーションは、例えば上述されるオペレーション４００にしたがって送信されたＶＨＴ−ＳＩＧフィールドを受信するいずれのデバイスにおいて、実行されうる。
【００５０】
オペレーション５００は、送信前のスクランブリングを介して変更された１つまたは複数のビットを含んだＶＨＴ−ＳＩＧフィールドを含む送信を、ワイヤレスチャネル上で、受信することによって、５０２で開始する。５０４で、ＶＨＴ−ＳＩＧフィールドの１つまたは複数のスクランブルされたビットはデスクランブルされうる。
【００５１】
図６は、本開示のある態様による、例示的なＶＨＴ−ＳＩＧフィールド値を図示する。図示されるように、ビットの大多数は０値を有しうる。しかしながら、ほぼすべて０を用いて符号化されたビットストリームを送信することは、ハイレベルのＰＡＰＲを結果としてもたらすことがある。図７は、本開示のある態様による異なるパケットタイプのための例示的なＰＡＰＲ結果の表を図示する。図示されるように、ＰＡＰＲ結果は、２つの場合：ＳＩＧフィールドにおけるすべてのサブフィールドが０値を有する場合７０２と、有意義パケット(meaningful packet)を依然と形成するがＳＩＧフィールドの多くの場所において１を含んでいる場合７０４、について提供されている。図示されているように、ＰＡＰＲは、ＳＩＧフィールドの１つまたは複数のビットをスクランブルすることによって低減されうる。
【００５２】
ＶＨＴ−ＳＩＧフィールド（例えば、ＳＩＧＡおよび／またはＳＩＧＢフィールド）における１つまたは複数のビットのスクランブリング(Scrambling)は、ＰＡＰＲを低減することを助け、様々な方法で実行されうる。
【００５３】
一例として、ある態様によれば、スクランブリングは、あるフィールドにおいて、１つまたは複数のビットをリバースすることを含むことができる（例えば、０が１となる）。ある態様によれば、既知のシードに基づくワイヤレス通信規格のＩＥＥＥ８０２．１１ファミリに従うスクランブリングアルゴリズム(scrambling algorithm)が利用されることができる。代替として、スクランブリングアルゴリズムは新しい（例えば、短い）可変シード(variable seed)を利用することがある。ある態様によれば、スクランブリングは、ＰＡＰＲを低下させるために(in an effort to lower)、１つまたは複数のリザーブされたビットを再配置することを含めることができる。
【００５４】
ある態様によれば、スクランブリングは、ＶＨＴ−ＳＩＧＡの１つまたは複数のフィールドにおいて１つまたは複数の（またはすべての）ビットを反転することを含めることができる。さらに、あるいは、代替として、スクランブリングはまた、ＶＨＴ−ＳＩＧＢフィールドのスクランブリング（例えば、８０２．１１ａスクランブリングアルゴリズムを用いる）を含めことができる。エラーチェックフィールド（例えば、サイクリック・リダンダンシー・チェック(Cyclic Redundancy Check)（ＣＲＣ））はそのとき、スクランブルされたＶＨＴ−ＳＩＧＢフィールド上でコンピュートされる(computed)ことができる。
【００５５】
図８は、本開示のある態様による、送信データのＰＡＰＲの例８０２および例８０４を図示する。
【００５６】
局からアクセスポイントへの送信のためのアソシエーション識別子（ＡＩＤ）値の選択(SELECTION OF ASSOCIATION IDENTIFIER(AID) VALUE FOR STATION-TO-ACCESS POINT TRANSMISSION)
ある態様によれば、局からアクセスポイントへの（ＳＴＡ−ｔｏ−ＡＰ）送信パケットの場合、ＶＨＴ−ＳＩＧＡフィールドのアソシエーション識別子(Association Identifier)（ＡＩＤ）サブフィールドの値は、複数の特別な値のうちの１つに設定されうる。すべてのＳＴＡ−ｔｏ−ＡＰ送信がシングルユーザ（ＳＵ）送信を表しているので、ＶＨＴ−ＳＩＧＡフィールド内のグループＩＤサブフィールドは、「１１１１１１」に等しい２値を有しうる、ということに留意されるべきである。本開示のある態様は、ＶＨＴ−ＳＩＧＡ  ＰＡＰＲ統計が好ましい値(preferred values)を有するようにＳＴＡ−ｔｏ−ＡＰ送信のためのＡＩＤ値を選択することを提案する。
【００５７】
各ＡＩＤ値は、様々な帯域幅（ＢＷ）、空間時間ブロックコード（ＳＴＢＣ）および多数の空間−時間ストリーム（ＮＳＴＳ）の組み合わせについて、ＰＡＰＲ値のセットを結果としてもたらすことがある。ＰＡＰＲ統計を最適化するために、送信されたＶＨＴ−ＳＩＧＡフィールドのＰＡＰＲについての複数の値のうちの最大値（すなわち、最悪の場合のＰＡＰＲを低減するため(to reduced)）、送信されたＶＨＴ−ＳＩＧフィールドのＰＡＰＲについての複数の値の平均値（すなわち、平均ＰＡＰＲを低減するため）のうちの少なくとも１つを減らすために(to reduce)、あるいは、最大値および平均値の和を減らするために、ＡＩＤ値が選択されうる。一態様では、最大ＰＡＰＲ値、平均ＰＡＰＲ値、または和の少なくとも１つを低減する努力は、最大ＰＡＰＲ値、平均ＰＡＰＲ値または和の少なくとも１つを最小化する努力を備えうる。
【００５８】
ＡＩＤ値の提案された選択を適用することが無ければ、最悪の場合のＰＡＰＲは１８ｄＢと同じくらい高いことがある。他方では、ＡＩＤ値が、最悪の場合のＰＡＰＲを低減あるいは最小化するために取得されたセットの値から選ばれる場合、最悪の場合のＰＡＰＲは１０．５ｄＢ未満に低減されうる。
【００５９】
次の９ビットＡＩＤシーケンス（最下位ビット（ＬＳＢ）は左から最初のものである）は、最大ＰＡＰＲの最も低い値(lowest value)、平均ＰＡＰＲの最も低い値、あるいは、最大ＰＡＰＲと平均ＰＡＰＲの和の最も低い値のうちの少なくとも１つを、結果としてもたらすことができる。一態様では、４倍オーバーサンプリングされた(four times oversampled)逆高速フーリエ変換(Inverse Fast Fourier Transform)（ＩＦＦＴ）は、ＳＴＡ−ｔｏ−ＡＰ送信パケットのプリアンブル内でＶＨＴ−ＳＩＧＡフィールドを送信する前に適用されうる。
【００６０】
本開示の一態様では、「００００１１０１０」のＡＩＤ値（すなわち、１７６の１０進値）は、送信されたＶＨＴ−ＳＩＧＡ１フィールドのための最も低い最大の(lowest maximum)（最悪の場合の）ＰＡＰＲを結果としてもたらすことあり得る。１７６，６８８，１２００および１７１２のＡＩＤの１０進値は、ＳＴＡ−ｔｏ−ＡＰパケットについてマーク／リザーブされうる、ということに留意されるべきである。本態様では、送信されたＶＨＴ−ＳＩＧＡ１フィールドについての最悪の場合のＰＡＰＲは、１０．４３３４ｄＢと等しいことがある。
【００６１】
別の態様では、「１００１０００１０」のＡＩＤ値（すなわち、１３７の１０進値）は、送信されたＶＨＴ−ＳＩＧＡ１フィールドのための最も低い平均(lowest average)ＰＡＰＲを結果としてもたらすことが有りえる。１３７，６４９，１１６１および１６７３のＡＩＤの１０進値は、ＳＴＡ−ｔｏ−ＡＰパケットについてマーク／リザーブされうる、ということに留意されるべきである。一態様では、送信されたＶＨＴ−ＳＩＧＡ１フィールドの平均ＰＡＰＲは、８．３４８７ｄＢに等しいことが有りえる。
【００６２】
さらに別の態様では、「００００１１０１０」のＡＩＤ値（すなわち、１７６の１０進値）は、送信されたＶＨＴ−ＳＩＧＡ１フィールドの、最大ＰＡＰＲおよび平均ＰＡＰＲの和について最も低い値を結果としてもたらすことがあり得る。１７６，６８８，１２００および１７１２のＡＩＤの１０進値は、ＳＴＡ−ｔｏ−ＡＰパケットについてマーク／リザーブされうる、ということに留意されるべきである。この態様では、送信されたＶＨＴ−ＳＩＧＡ１フィールドについての最悪の場合のＰＡＰＲは、１８．８８６９ｄＢと等しいことがあり得る。最悪の場合のＰＡＰＲを最小化することと、最大ＰＡＰＲと平均ＰＡＰＲの和を最小化することは、同じＡＩＤシーケンスを結果としてもたらすことがあり得るいうことが観察されることができる。このことは、最大ＰＡＰＲが平均ＰＡＰＲよりも大きな範囲で、より早く変動しうるためであり得る。
【００６３】
本開示のある態様は、節電（ＰＳ）特徴を持ったマルチプルベーシックサービスセット（Ｍ−ＢＳＳ）のためのＡＩＤ値選択をサポートする。電力を節約するために、異なるＢＳＳは、異なるＡＩＤシーケンスを使用しうる。例えば、５以上の好ましいＡＩＤシーケンスは、最大（最悪の場合の）ＰＡＰＲ、平均ＰＡＰＲ、または最大（最悪の場合の）ＰＡＰＲおよび平均ＰＡＰＲの和の少なくとも１つを低減するために、選ばれうる。一態様では、最大ＰＡＰＲ、平均ＰＡＰＲ、または和の少なくとも１つを低減する努力は、最大ＰＡＰＲ、平均ＰＡＰＲまたは和の少なくとも１つを最小化する努力を備えうる。
【００６４】
図９は、本開示のある態様による、プリアンブルのＶＨＴ−ＳＩＧＡフィールドのＡＩＤサブフィールドのための値の例９００を図示する。図９で与えられたＡＩＤシーケンスは、送信されたＶＨＴ−ＳＩＧＡフィールドの最悪の場合のＰＡＰＲを低減または最小化するために、ＰＳを伴うＭ−ＢＳＳについて選択されうる。一態様では、図９にリストされた最良の１６ＡＩＤシーケンスは、１６の異なるアクセスポイント（ＡＰ）の速い識別を可能にしうる。４倍オーバーサンプルされたＩＦＦＴは、ＳＴＡ−ｔｏ−ＡＰ送信パケット内でリスト化されたＡＩＤシーケンスのうちの１つとともにＶＨＴ−ＳＩＧＡ１フィールドを送信する前に適用されうる。図９の第３列は、第２列の９ＬＳＢを備えるすべて１０進法のＡＩＤ値をリストする。
【００６５】
図１０は、本開示のある態様による、ＶＨＴ−ＳＩＧＡフィールドのＡＩＤサブフィールドのための値の例１０００を図示する。図１０で与えられたＡＩＤシーケンスは、送信されたＶＨＴ−ＳＩＧＡフィールドの平均ＰＡＰＲを低減または最小化するために、ＰＳでＭ−ＢＳＳについて選択されうる。４倍オーバーサンプルされたＩＦＦＴは、ＳＴＡ−ｔｏ−ＡＰ送信パケットのプリアンブル内でリスト化されたＡＩＤシーケンスのうちの１つとともにＶＨＴ−ＳＩＧＡ１フィールドを送信する前に適用されうる。図１０の第３列は、第２列の９ＬＳＢを備えるすべて１０進法のＡＩＤ値をリストする。
【００６６】
図１１は、本開示のある態様による、ＶＨＴ−ＳＩＧＡフィールドのＡＩＤサブフィールドのための値の例１１００を図示する。図１１で与えられたＡＩＤシーケンスは、送信されたＶＨＴ−ＳＩＧＡフィールドの平均ＰＡＰＲと最大ＰＡＰＲの和を低減または最小化するために、ＰＳでＭ−ＢＳＳについて選択されうる。４倍オーバーサンプルされたＩＦＦＴは、ＳＴＡ−ｔｏ−ＡＰ送信パケットのプリアンブル内でリスト化されたＡＩＤシーケンスのうちの１つとともにＶＨＴ−ＳＩＧＡ１フィールドを送信する前に適用されうる。図１１の第３列は、第２列の９ＬＳＢを備えるすべて１０進法のＡＩＤ値をリストする。
【００６７】
図１２Ａ−図１２Ｅは、本開示のある態様によるＳＴＡからＡＰへと送信されうるプリアンブルのＶＨＴ−ＳＩＧＡ１フィールドのＡＩＤサブフィールドのための値の例を図示する。図１２Ａ−図１２Ｅで与えられたＡＩＤシーケンスは、送信されたＶＨＴ−ＳＩＧＡ１フィールドの最悪の場合のＰＡＰＲを低減または最小化するために決定されうる。４倍オーバーサンプルされたＩＦＦＴは、ＳＴＡ−ｔｏ−ＡＰ送信パケットのプリアンブル内でリスト化されたＡＩＤシーケンスのうちの１つとともにＶＨＴ−ＳＩＧＡ１フィールドを送信する前に適用されうる。図１２Ａ−図１２Ｅの第３列は、対応する第２列の９ＬＳＢを備えるすべて１０進法のＡＩＤ値をリストする。
【００６８】
図１２Ａで図示されたＡＩＤ選択の結果は、ＶＨＴ−ＳＩＧＡ１フィールドのリザーブされたビットがすべて１を備える場合には、取得されうる。図１２Ｂで図示されたＡＩＤ選択の結果は、リザーブされたビットがすべて０を備える場合には、取得されうる。図１２Ｃで図示されたＡＩＤ選択の結果は、リザーブされたビットがすべてランダムである場合には、取得されうる。図１２Ｄで図示されたＡＩＤ選択の結果は、ＶＨＴ−ＳＩＧＡ１フィールドの最後の２つのリザーブされたビットがすべて０を備える場合には、取得されうる。図１２Ｅで図示されたＡＩＤ選択の結果は、ＶＨＴ−ＳＩＧＡ１フィールドのすべてのリザーブされたビットがすべて１を備える場合には取得され、グループＩＤサブフィールドは、０に等しいことがある。
【００６９】
アソシエーションＩＤのランダム選択(RANDOM SELECTION OF ASSOCIATION ID)
最悪の場合のＰＡＰＲを回避し、最悪の場合のＰＡＰＲを低減する（または最小化する）ことは、ＡＰ−ｔｏ−ＳＴＡ送信にとって重要であることと同じくらい、局からアクセスポイントへの（ＳＴＡ−ｔｏ−ＡＰ）送信にとって重要である可能性がある。本開示のある態様は、局（ＳＴＡ）と関連づけられたＡＩＤ値を選ぶのと同じ方法でアクセスポイント（ＡＰ）と関連づけられたＡＩＤ値を選ぶことをサポートする。
【００７０】
一態様では、ＡＰは、その関連ＳＴＡについて選択されたＡＩＤと同じ範囲からランダムＡＩＤを割り当てることがある。ＡＩＤ値の範囲は、ＳＴＡ側について前に説明されているように決定されうる。ＡＩＤ値の範囲は、その関連ＳＴＡからＡＰにおいて受信されうる。ＡＰのＡＩＤは、ビーコンフレーム、プローブ応答フレーム、またはアソシエーション応答フレームのうちの少なくとも１つにおいてシグナリングされうる。
【００７１】
図１３Ａ−図１３Ｅは、本開示のある態様による、ＡＰからＳＴＡへと、および／または、ＳＴＡからＡＰへと、送信されうるパケットのＶＨＴ−ＳＩＧＡ１フィールドのＡＩＤサブフィールドのための値の例を図示する。図１３Ａ−図１３Ｅで与えられたＡＩＤシーケンスは、送信されたＶＨＴ−ＳＩＧＡ１フィールドの最高の最大ＰＡＰＲを結果としてもたらすことがある。したがって、図１３Ａ−図１３ＥでリストされたＡＩＤ値は、ＡＰ−ｔｏ−ＳＴＡ送信および／またはＳＴＡ−ｔｏ−ＡＰ送信について回避される必要があることがある。一態様では、４倍オーバーサンプルされたＩＦＦＴは、ＶＨＴ−ＳＩＧＡ１フィールドを送信する前に適用されうる。図１３Ａ−図１３Ｅの第３列は、対応する第２列の９ＬＳＢを備えるすべて１０進法のＡＩＤ値をリストする。
【００７２】
図１３Ａで図示されたＡＩＤシーケンスは、ＶＨＴ−ＳＩＧＡ１フィールドにおけるリザーブされたビットがすべて１を備える場合には、取得されうる。図１３Ｂで図示されたＡＩＤシーケンスは、リザーブされたビットがすべて０を備える場合には、取得されうる。図１３Ｃで図示されたＡＩＤシーケンスは、リザーブされたビットがすべてランダムである場合には、取得されうる。図１３Ｄで図示されたＡＩＤシーケンスは、ＶＨＴ−ＳＩＧＡ１フィールドの最後の２つのリザーブされたビットがすべて０を備える場合には、取得されうる。図１３Ｅで図示されるＡＩＤシーケンスは、ＶＨＴ−ＳＩＧＡ１フィールドにおけるすべてのリザーブされたビットがすべて１を備える場合に取得され、グループＩＤサブフィールドは、ＡＰからＳＴＡへのマルチユーザ（ＭＵ）送信を示す０に等しいことがある。
【００７３】
ＶＨＴ−ＳＩＧ−ＡフィールドおよびＶＨＴ−ＳＩＧ−Ｂフィールドで適用される「マジック」シーケンス(“MAGIC” SEQUENCE APPLIED ON VHT-SIG-A AND VHT-SIG-B FIELDS)
本開示の態様では、ＶＨＴ−ＳＩＧ−ＡまたはＶＨＴ−ＳＩＧ−Ｂのうちの少なくとも１つの情報ビットは、ＶＨＴ−ＳＩＧを送信するときにＰＡＰＲを最小化する（または少なくとも低減する）ために「マジック」シーケンスでＸＯＲオペレーションを実行するために使用されうる。「マジック」シーケンスは、ＶＨＴ−ＳＩＧ−ＡまたはＶＨＴ−ＳＩＧ−Ｂの少なくとも１つにおいてすべて０と仮定しながら、最も低いＰＡＰＲでビットのシーケンスを識別することと徹底的なサーチによって取得されうる。
【００７４】
ＶＨＴ−ＳＩＧ−Ａの場合、次の３４ビットパターン（ＬＳＢが先）：｛１， １， ０ １， １， ０， １， ０， １， ０， １， ０， ０， １， １， １， １， ０， ０， ０， ０， １， １， ０， ０， ０， ０， ０， ０， ０， ０， １， １， ０｝は、３．０３４５ｄＢのＶＨＴ−ＳＩＧＡ１のためのＰＡＰＲと、４．４２０６ｄＢのＶＨＴ−ＳＩＧＡ２のためのＰＡＰＲを結果としてもたらすことがある。
【００７５】
ＶＨＴ−ＳＩＧ−Ｂの場合、次の２０／２１／２３ビットシーケンス（ＬＳＢが先）は、４倍オーバーサンプルされた逆高速フーリエ変換（ＩＦＦＴ）を使用するとき、最も低いＰＡＰＲを結果としてもたらすことがある。２０ＭＨｚ帯域幅の場合、「マジック」シーケンスは、｛０， ０， ０， ０， ０， １， １， １， ０， １， ０， ０， ０， １， ０， ０， ０， ０， １， ０｝であり、ＰＡＰＲは、３．１６ｄＢと等しいことがある。４０ＭＨｚ帯域幅の場合、「マジック」シーケンスは、｛１， ０， １， ０， ０， １， ０， １， １， ０， １， ０， ０， ０， １， ０， ０， ０， ０， １， １｝であり、ＰＡＰＲは、５．４２ｄＢと等しいことがある。８０ＭＨｚ帯域幅の場合、「マジック」シーケンスは、｛０， １， ０， １， ０， ０， １， １， ０， ０， １， ０， １， １， １， １， １， １， １， ０， ０， １， ０｝，であり、ＰＡＰＲは、５．１３ｄＢと等しいことがある。
【００７６】
図１４Ａは、本開示のある態様によるＶＨＴ−ＳＩＧＡ１の例示的なＰＡＰＲ結果を図示する。前述の３４ビット「マジック」シーケンスが適用されるときの送信ＶＨＴ−ＳＩＧＡ１のＰＡＰＲ(PAPR of transmitting VHT-SIGA1)は、プロット１４１０によって図示される。ＧＩＤ＝０およびＡＩＤ＝０であるということに留意されるべきである。
【００７７】
図１４Ｂは、本開示のある態様によるＶＨＴ−ＳＩＧＡ２の例示的なＰＡＰＲ結果を図示する。前述の「マジック」シーケンスが適用されるときの送信ＶＨＴ−ＳＩＧＡ２のＰＡＰＲ(PAPR of transmitting VHT-SIGA2)は、プロット１４２０によって図示される。この場合もＧＩＤ＝０およびＡＩＤ＝０であるということに留意されるべきである。
【００７８】
図１５Ａ−図１５Ｂは、本開示のある態様による、ＶＨＴ−ＳＩＧＡのほとんどのフィールドが０である場合のＶＨＴ−ＳＩＧＡのＰＡＰＲ結果の例を図示する。ビットの「マジック」シーケンスがＶＨＴ−ＳＩＧＡに適用されるときに、ＰＡＰＲにおける実質的な改善が観察されることができる（例えば、「マジック」シーケンスがＶＨＴ−ＳＩＧＡ２に適用されるときの列１５０２のＰＡＰＲ結果対「マジック」シーケンスが適用されなかったときの列１５０４のＰＡＰＲ結果）。
【００７９】
図１６Ａは、本開示のある態様によれば、ＶＨＴ−ＳＩＧＢのほとんどのフィールドが０であるときのＶＨＴ−ＳＩＧＢの例示的なＰＡＰＲ結果を図示し、ここにおいてマルチユーザ（ＭＵ）通信が使用される。「マジック」シーケンスがＶＨＴ−ＳＩＧＢに適用されるときに、ＰＡＰＲにおける実質的な改善が観察されることができる（例えば、「マジック」シーケンスがＶＨＴ−ＳＩＧＢに適用されるときの列１６０２のＰＡＰＲ結果対「マジック」シーケンスが適用されなかったときの列１６０４のＰＡＰＲ結果）。一態様では、ＭＣＳが０であり、送信機におけるプレコーダがストリームを混合するように構成されうることは起こりそうもなく、また、小さいパケットが送信されるということは、起こりそうもない。
【００８０】
図１６Ｂは、本開示のある態様によれば、ＶＨＴ−ＳＩＧＢのほとんどのフィールドが０であるときのＶＨＴ−ＳＩＧＢの例示的なＰＡＰＲ結果を図示し、ここにおいて、シングルユーザ（ＳＵ）通信が２０ＭＨｚ帯域幅で使用される。「マジック」シーケンスがＶＨＴ−ＳＩＧＢに適用されるときに、ＰＡＰＲにおける実質的な改善が観察されることができる（例えば、「マジック」シーケンスがＶＨＴ−ＳＩＧＢに適用されるときの列１６０６のＰＡＰＲ結果対「マジック」シーケンスが適用されなかったときの列１６０８のＰＡＰＲ結果）。ＶＨＴ−ＳＩＧＢのリザーブされたビットは、すべて１に設定され、使用されないことがある。一態様では、ＳＵ通信の場合、受信機は、ＶＨＴ−ＳＩＧＢを復号することを要求されないことがある。
【００８１】
図１７Ａは、本開示のある態様による、ＶＨＴ−ＳＩＧＡがすべて１を備えるときのＶＨＴ−ＳＩＧＡの例示的なＰＡＰＲ結果を図示する。「マジック」シーケンスがＶＨＴ−ＳＩＧＡ１に適用されるときに、ＰＡＰＲ結果における実質的な改善が観察されることができる（例えば、「マジック」シーケンスがＶＨＴ−ＳＩＧＡ１に適用されるときの列１７０２のＰＡＰＲ結果対「マジック」シーケンスが適用されなかったときの列１７０４のＰＡＰＲ結果）。さらに、「マジック」シーケンスがＶＨＴ−ＳＩＧＡ２に適用されるときに、ＰＡＰＲ結果における実質的な改善が観察されることができる（例えば、「マジック」シーケンスがＶＨＴ−ＳＩＧＡ２に適用されるときの列１７０６のＰＡＰＲ結果対「マジック」シーケンスが適用されなかったときの列１７０８のＰＡＰＲ結果）。
【００８２】
図１７Ｂは、本開示のある態様による、ＶＨＴ−ＳＩＧＢがすべて１を備えるときのＶＨＴ−ＳＩＧＢの例示的なＰＡＰＲ結果を図示する。「マジック」シーケンスがＶＨＴ−ＳＩＧＢに適用されるときに、ＰＡＰＲにおける実質的な改善が観察されることができる（例えば、「マジック」シーケンスがＶＨＴ−ＳＩＧＢに適用されるときの列１７１０のＰＡＰＲ結果対「マジック」シーケンスが適用されなかったときの列１７１２のＰＡＰＲ結果）。
【００８３】
ＶＨＴ−ＳＩＧ−Ａにおけるトーンリザーブ(TONE RESERVATION IN VHT-SIG-A)
本開示の態様では、送信機は、ＶＨＴ−ＳＩＧＡ１において２つのリザーブされたビットを選ぶように構成されうる。受信機は、これらのリザーブされたビットを使用することなく、ＶＨＴ−ＳＩＧフィールドを復号するように構成されうる。送信機は、最適な２つのリザーブされたビットを選ぶことによってパケット毎ベースでＰＡＰＲを低減することができることがある。例えば、このことは、ルックアップテーブルを使用することによって達成されうる。一態様では、最適化は、２つのリザーブされたビットの位置（例えば、ＶＨＴ−ＳＩＧＡ１の終わり）とＶＨＴ−ＳＩＧＡ１のＰＡＰＲを最小化することに基づくことがある。
【００８４】
図１８Ａおよび図１８Ｃ（それぞれ、ＧＩＤ／ＡＩＤ＝０である、また、ＧＩＤがランダムである場合、ＶＨＴ−ＳＩＧＡ１の例示的なＰＡＰＲ結果）より、トーンリザーブのためのＰＡＰＲ（プロット１８０８、１８２８）は、少なくとも０．５ｄＢだけ当初のＶＨＴ−ＳＩＧＡ１（プロット１８０４、１８２４）のＰＡＰＲよりも常に良好であるということが観察されることができる。８．２ｄＢ〜９．３ｄＢの範囲において、トーンリザーブのためのＰＡＰＲ（プロット１８０８、１８２８）は、ＧＩＤビットがフリップしたとき、ＶＨＴ−ＳＩＧＡ１のＰＡＰＲ（それぞれ、図２２Ａおよび図２２Ｃのプロット１８０６、１８２６）よりもより良好であることがある。
【００８５】
図１８Ｂおよび図１８Ｄは、本開示のある態様による、それぞれ、ＧＩＤ／ＡＩＤ＝０である、また、ＧＩＤがランダムである場合のＶＨＴ−ＳＩＧＡ２の例示的なＰＡＰＲ結果を図示する。リザーブされたビットは、ＶＨＴ−ＳＩＧＡ２についてではなく、ＶＨＴ−ＳＩＧＡ１のＰＡＰＲについて最適化されているので、トーンリザーブのＰＡＰＲ結果（プロット１８１８、１８３８）は、当初のＶＨＴ−ＳＩＧＡ２（プロット１８１４，１８３４）のＰＡＰＲ結果よりもわずかにだけよい。図１８Ａ−１８Ｄで図示されるＰＡＰＲ結果は、ＳＵ送信用であり、ＡＩＤはすべて０である。
【００８６】
図１８Ａ−１８Ｄからの例示的な結果は、次のように集約されることがある。
【００８７】
ＧＩＤ＝０およびＡＩＤ＝０の場合には、現在のＶＨＴ−ＳＩＧＡ１は、ＢＰＳＫデータより高い中央値ＰＡＰＲを有し、ＶＨＴ−ＳＩＧＡ２はデータより悪い。ＶＨＴ−ＳＩＧＡ１については、ＧＩＤフィールドを反転することは、ＶＨＴ−ＳＩＧ−Ａ１のＰＡＰＲを改善することがある。ＶＨＴ−ＳＩＧＡ１のリザーブされたビットの位置を変更することはＰＡＰＲをより悪くすることがある。ＶＨＴ−ＳＩＧＡ１におけるリザーブされたビットの値を変更することはＰＡＰＲをより悪くすることがある。ＶＨＴ＿ＳＩＧＡ２については、反転ＳＧＩ、符号化、ＳＵ  ＢＦフィールドは、ＰＡＰＲ統計に実質役立たないことがある。ＶＨＴ−ＳＩＧＡ２におけるリザーブされたビットの位置／値を変更することは、実質的な差異をもたらさないことがある。
【００８８】
ＧＩＤがランダムである場合には、現在のＶＨＴ−ＳＩＧＡ１はＢＰＳＫデータよりも高い中央値ＰＡＰＲを有し、ＶＨＴ−ＳＩＧＡ２は、データよりも悪いＰＡＰＲを有する。ＶＨＴ−ＳＩＧＡ１については、ＧＩＤを反転することは、ＰＡＰＲ統計において実質的な差異をもたらさないことがある。ＶＨＴ−ＳＩＧＡ２については、ＶＨＴ−ＳＩＧＡ２におけてリザーブされた６ビットの位置を変更することはＰＡＰＲをわずかに悪くすることがある。
【００８９】
ある態様によれば、すべて０である代わりにＳＵグループＩＤ＝１１１１１１にすることは、顕著な差異をもたらすことがある。
【００９０】
図１９Ａ−図１９Ｂは、本開示のある態様にしたがってＳＵ通信のための本開示のある態様による、それぞれ、ＶＨＴ−ＳＩＧＡ１フィールドおよびＶＨＴ−ＳＩＧＡ２フィールドの例示的なＰＡＰＲ結果を図示する。ＡＩＤはアップリンク（ＵＬ）送信についてすべて１である、または、ＡＩＤは１または３に等しい（実際にしばしば起こりうる）ということが想定されることができる。
【００９１】
図１９Ａでは、ＶＨＴ−ＳＩＧＡ２のＳＵ送信のＰＡＰＲ累積分布関数（ＣＤＦ）結果は、ＧＩＤがすべて１である場合（プロット１９０６）対ＡＩＤがすべて１である場合（プロット１９０８）対ＧＩＤとＡＩＤの双方がすべて１である場合（プロット１９１０）とＡＩＤ＝１である場合（プロット１９１２）対ＡＩＤ＝３である場合（プロット１９１４）を、ＢＰＳＫデータからのベースラインＰＡＰＲ結果（プロット１９０２）と当初提案されたＶＨＴ−ＳＩＧＡ１（プロット１９０４）と比較する。ＡＩＤがすべて１であり（プロット１９０８）、ＣＤＦが当初のＶＨＴ−ＳＩＧＡ１のベースラインＰＡＰＲ結果とほぼ同じである（プロット１９０４）ということが観察されることができる。これが、以前にＡＩＤのフリッピングを推奨されなかった理由である。しかしながら、ＧＩＤとＡＩＤの双方がすべて１であり（プロット１９１０）、ＰＡＰＲは悪くなり、特に高ＰＡＰＲ値がより頻繁に生じうる。ＡＩＤ＝１（図１９Ａのプロット１９１２）またはＡＩＤ＝３（図１９Ａのプロット１９１４）の場合は、当初のＶＨＴ−ＳＩＧＡ１のベースラインＰＡＰＲ結果（図１９Ａのプロット１９０４）とはあまり差異がない。図１９Ｂで図示されるように、すべてのこれらの異なる場合は、ＶＨＴ−ＳＩＧＡ２の同様なＰＡＰＲ結果を提供する。
【００９２】
すべてのＶＨＴ−ＳＩＧビットのスクランブリング(SCRAMBLING OF ALL VHT-SIG BITS)
送信機側（例えば、アクセスポイント）は、送信されたＶＨＴ−ＳＩＧフィールドのＰＡＰＲを最小化する（または少なくとも低減する）ために送信前にＶＨＴ−ＳＩＧフィールドのスクランブリングを実行するように構成されうる。本開示の一態様では、スクランブリングは、複数のスクランブリングシーケンス(scrambling sequences)のうちの１つ（４つのスクランブリングシーケンスの１つ）とともにＶＨＴ−ＳＩＧフィールドのすべてのビットをスクランブルすることと、ＶＨＴ−ＳＩＧフィールドのＲＥＳＥＲＶＥＤビットにおけるそのスクランブリングシーケンスの識別子（ＩＤ）を含むことと、を備えうる。複数のスクランブリングシーケンスは、送信されたＶＨＴ−ＳＩＧフィールドのＰＡＰＲを低減するために決定されることができ、そのスクランブリングシーケンスは、複数のスクランブリングシーケンスと関連づけられたＰＡＰＲについての複数の値のうちのＰＡＰＲの最小値を提供しうる。
【００９３】
受信機側（例えば、アクセス端末）は、複数のスクランブリングシーケンスのうちの１つを使用してＶＨＴ−ＳＩＧフィールドの送信の前にすべてのビットがスクランブルされたＶＨＴ−ＳＩＧフィールドを受信しうる、ここにおいて、そのスクランブリングシーケンスのＩＤは、送信されたＶＨＴ−ＳＩＧフィールドのＲＥＳＥＲＶＥＤビットに含まれている。本開示の態様では、受信機は、ＩＤに基づいてそのスクランブリングシーケンスを決定し、そして、そのスクランブリングシーケンスにしたがってＶＨＴ−ＳＩＧフィールドのデスクランブリングを実行しうる。
【００９４】
上述された方法の様々なオペレーションは、対応する機能を実行することができるいずれの適切な手段によって実行されうる。手段は、ハードウェアおよび／またはソフトウェアコンポーネント（単数または複数）および／またはモジュール（単数または複数）を含むことができ、限定されてはいないが、回路、特定用途向け回路（ＡＳＩＣ）、またはプロセッサを含んでいる。一般的に、図面で図示されるオペレーションがある場合には、これらのオペレーションは、同様な番号付けを備えた、対応するカウンターパートのミーンズ・プラス・ファンクションコンポーネントを有しうる。例えば、図４および図５で図示されたオペレーション４００および５００は、図４Ａおよび図５Ａで図示されるコンポーネント４００Ａおよび５００Ａに対応しうる。
【００９５】
例えば、構築するための手段は、特定用途向け集積回路、例えば、図２のワイヤレスノード２００のＴＸデータプロセッサ２０２、または、ワイヤレスノード２００のＲＸデータプロセッサ２１４、または、図３の処理システム３００のプロセッサ３０４を備えうる。スクランブルするための手段は、符号器、例えばＴＸデータプロセッサ２０２またはプロセッサ３０４を備えうる。送信するための手段は送信機、例えば図２のワイヤレスノード２００のトランシーバ２０６を備えうる。反転するための手段は、特定用途向け集積回路、例えばワイヤレスノード２００の、ＴＸデータプロセッサ２０２、またはＲＸデータプロセッサ２１４、またはプロセッサ３０４を備えうる。コンピュートするための手段は、特定用途向け集積回路、例えばＴＸデータプロセッサ２０２、またはＲＸデータプロセッサ２１４、またはプロセッサ３０４を備えうる。挿入するための手段は、特定用途向け集積回路、例えばＴＸデータプロセッサ２０２、またはＲＸデータプロセッサ２１４、またはプロセッサ３０４を備えうる。再配置するための手段は、特定用途向け集積回路、例えばＴＸデータプロセッサ２０２、またはＲＸデータプロセッサ２１４、またはプロセッサ３０４を備えうる。設定するための手段は、特定用途向け集積回路、例えばＴＸデータプロセッサ２０２、またはＲＸデータプロセッサ２１４、またはプロセッサ３０４を備えうる。決定するための手段は、特定用途向け集積回路、例えばＴＸデータプロセッサ２０２、またはＲＸデータプロセッサ２１４、またはプロセッサ３０４を備えうる。評価するための手段は、特定用途向け集積回路、例えばＴＸデータプロセッサ２０２、またはＲＸデータプロセッサ２１４、またはプロセッサ３０４を備えうる。識別するための手段は、特定用途向け集積回路、例えばＴＸデータプロセッサ２０２、またはＲＸデータプロセッサ２１４、またはプロセッサ３０４を備えうる。受信するための手段は受信機、例えば図２のワイヤレスノード２００のトランシーバ２０６、を備えうる。デスクランブルするための手段は復号器、例えばＲＸデータプロセッサ２１４またはプロセッサ３０４を備えうる。計算するための手段は、特定用途向け集積回路、例えばＴＸデータプロセッサ２０２、またはＲＸデータプロセッサ２１４、またはプロセッサ３０４を備えうる。比較するための手段は、特定用途向け集積回路、例えばＴＸデータプロセッサ２０２、またはＲＸデータプロセッサ２１４、またはプロセッサ３０４を備えうる。シグナリングするための手段は送信機、例えば図２のワイヤレスノード２００のトランシーバ２０６、を備えうる。復号するための手段は復号器、例えばＲＸデータプロセッサ２１４、またはプロセッサ３０４を備えうる。識別するための手段は、特定用途向け集積回路、例えばＲＸデータプロセッサ２１４、またはプロセッサ３０４を備えうる。
【００９６】
ここに使用されるように、用語「決定すること」は、広範囲な動作を包含する。例えば「決定すること(determining)」は、計算すること(calculating)、コンピュートすること(computing)、処理すること(processing)、導出すること(deriving)、吟味すること(investigating)、ルックアップすること(looking up)（例、テーブル、データベース、または別のデータ構造においてルックアップすること）、確かめること(ascertaining)、および同様なものを含めうる。また「決定すること」は、受信すること（例、情報を受信すること）、アクセスすること（例、メモリ内のデータにアクセスすること）、および同様なものを含めうる。また、「決定すること」は、解決すること（resolving）、選択すること（selecting）、選ぶこと（choosing）、確立すること（establishing）、および同様なものを含めうる。
【００９７】
ここに使用されるように、項目リストの「うちの少なくとも１つ（at least one of）」を指すフレーズは、これらの項目の任意の組み合わせを指し、単一の要素を含む。一例として、「ａ、ｂ、またはｃのうち少なくとも１つ」は、ａ、ｂ、ｃ、ａ−ｂ、ａ−ｃ、ｂ−ｃ，およびａ−ｂ−ｃを包含することが意図されている。
【００９８】
本開示に関連して説明された様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）、あるいは他のプログラマブル論理デバイス（ＰＬＤ）、ディスクリートゲートあるいはトランジスタ論理、ディスクリートハードウェアコンポーネント、あるいは、ここに説明された機能を実行するように設計されたそれらのいずれの組み合わせ、で実装または実行されうる。汎用プロセッサは、マイクロプロセッサでありうるが、代替として、プロセッサは、いずれの商業的に利用可能なプロセッサ、コントローラ、マイクロコントローラ、あるいはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、として実装されうる。
【００９９】
本開示に関連して説明された方法またはアルゴリズムのステップは、直接ハードウェアにおいて、プロセッサによって実行されたソフトウェアモジュールにおいて、あるいは２つの組み合わせにおいて、具現化されうる。ソフトウェアモジュールは、当技術分野で知られている任意の形態のストレージ媒体に常駐しうる。使用されうるストレージ媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、などを含む。ソフトウェアモジュールは、単一の命令または多くの命令を備えうる、また、いくつかの異なるコードセグメント上で、異なるプログラムの中で、そして、複数のストレージ媒体にわたって、分散されうる。ストレージ媒体は、プロセッサがストレージ媒体から情報を読み取ることができ、またストレージ媒体に情報を書き込むことができるように、プロセッサに結合されうる。あるいは、ストレージ媒体は、プロセッサに一体化されうる。
【０１００】
ここにおいて開示される方法は、記載される方法を達成するための１以上のステップまたは動作を備える。方法のステップおよび／または動作は、特許請求の範囲から逸脱することなく互いに置き換えられうる。言いかえれば、ステップまたは動作の具体的な順序が規定されていない限り、具体的なステップおよび／または動作の順序および／または使用は、特許請求の範囲から逸脱することなく修正されうる。
【０１０１】
記載された機能は、ハードウェア、ソフトウェア、ファームウェアあるいはそれらのいずれかの組み合わせにおいて実装されうる。ハードウェアで実装される場合には、例示的なハードウェア構成は、ワイヤレスノードにおける処理システムを備えうる。処理システムはバスアーキテクチャで実装されうる。バスは、処理システムの特定アプリケーションと全体的な設計制約に依存している、任意の数の相互接続しているバスとブリッジを含めうる。バスは、プロセッサ、機械可読媒体、およびバスインタフェースを含む様々な回路を一緒にリンクさせうる。バスインタフェースは、ネットワークアダプタを、特に、処理システムにバスを介して接続するために使用されうる。ネットワークアダプタは、ＰＨＹ層の信号処理機能を実装するために使用されうる。ユーザ端末１２０（図１参照）の場合、ユーザインタフェース（例えば、キーパッド、ディスプレイ、マウス、ジョイスティック等）はまた、バスに接続されうる。バスはまた、タイミングソース、周辺機器、電圧調整器、電力管理回路、および同様なもののような様々な他の回路をリンクさせうる、そしてそれらは、当技術分野ではよく知られているので、さらには説明しない。
【０１０２】
プロセッサは、機械可読媒体上で格納されたソフトウェアの実行を含む、バスおよび汎用処理を管理することを担うことがある。プロセッサは、１つまたは複数の汎用および／または専用プロセッサで実装されうる。例は、マイクロプロセッサ、マイクロコントローラ、ＤＳＰプロセッサ、およびソフトウェアを実行することができる他の回路を含む。ソフトウェアは、ソフトウェア、ファームウェア、ミドルウェア、マイクロコード、ハードウェア記述言語または別の言葉で呼ばれても、命令、データ、または、そのいずれの組み合わせを意味するように広く解釈されるべきである。機械可読媒体は、例えば、ＲＡＭ（ランダムアクセスメモリ）、フラッシュメモリ，ＲＯＭ（読み出し専用メモリ），ＰＲＯＭ（プログラマブル読み出し専用メモリ），ＥＰＲＯＭ（消去可能プログラマブル読み出し専用メモリ），ＥＥＰＲＯＭ（電子的消去可能プログラマブル読み出し専用メモリ），レジスタ，磁気ディスク，光学ディスク，ハードドライブ，または、いずれの他の適切なストレージ媒体、または、それらのいずれの組み合わせ、を含めうる。機械可読媒体は、コンピュータプログラムプロダクトにおいて具現化されうる。コンピュータプログラムプロダクトは、パッケージング材料を備えうる。
【０１０３】
ハードウェア実装では、機械可読媒体は、プロセッサから離れた処理システム３００の一部でありうる。しかしながら、当業者は、機械可読媒体、またはそのいずれの部分は、処理システムに外付けされうるということを容易に理解するであろう。例えば、機械可読媒体は、伝送線、データによって変調されたキャリア波、および／または、ワイヤレスノードと分けられたコンピュータプロダクト、を含めうる、そしてそれらすべては、バスインタフェースを通じてプロセッサによってアクセスされうる。代替的に、または、追加的に、機械可読媒体またはそのいずれの部分は、キャッシュおよび／または一般的なレジスタファイルに関する場合には、プロセッサに組み込まれることができる。
【０１０４】
処理システムは、プロセッサ機能を提供している１つまたは複数のマイクロプロセッサと、機械可読媒体の少なくとも一部分を提供する外部メモリを備えた、それらすべてが外部バスアーキテクチャを通じて他のサポートしている回路と一緒にリンクされている、汎用処理システムとして構成されうる。代替的に、処理システムは、プロセッサ、バスインタフェース、ユーザインタフェース（アクセス端末の場合）、サポートしている回路、および単一チップへと組み込まれた機械可読媒体の少なくとも一部分を備えたＡＳＩＣ（特定用途集積回路）で、または、１つまたは複数のＦＰＧＡ（フィールドプログラマブルゲートアレイ）、ＰＬＤ（プログラマブル論理デバイス）、コントローラ、ステートマシン、ゲート制御された論理、ディスクリートハードウェアコンポーネント、または、いずれの他の適切な回路、または、本開示の全体にわたって説明された様々な機能を実行することができる回路のいずれの組み合わせで、実装されうる。当業者は、特定のアプリケーションと全体システムに課された全体的な設計制約に依存している処理システムの記載された機能をいかに最良に実装するかを理解するであろう。
【０１０５】
機械可読媒体は多数のソフトウェアモジュールを備えうる。ソフトウェアモジュールは、プロセッサによって実行されるとき、処理システムに様々な機能を実行させる命令を含む。ソフトウェアモジュールは、送信モジュールおよび受信モジュールを含めうる。各ソフトウェアモジュールは、単一のストレージデバイスに常駐しうる、または、多数のストレージデバイスにわたって分散しうる。例として、ソフトウェアモジュールは、トリガリングイベントが生じるとき、ハードドライブからＲＡＭへとロードされうる。ソフトウェアモジュールの実行中に、プロセッサは、アクセス速度を増加させるためにキャッシュに命令のいくつかをロードしうる。１つまたは複数のキャッシュラインは、プロセッサによる実行のために汎用レジスタファイルへとロードされうる。下記でソフトウェアモジュールの機能を参照すると、そのソフトウェアモジュールからの命令を実行するとき、そのような機能はプロセッサによって実装されるということが理解されるだろう。
【０１０６】
ソフトウェアで実装される場合、機能は、コンピュータ可読媒体上で、１つまたは複数の命令またはコードとして格納または送信されうる。コンピュータ可読媒体は、ある場所から別の場所へのコンピュータプログラムの移送を容易にするいずれの媒体をも含むコンピュータストレージ媒体と通信媒体の両方を含む。ストレージ媒体は、コンピュータによってアクセスされることができる、いずれの利用可能な媒体でありうる。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータス構造の形態で所望プログラムコードを搬送または格納するために使用されることができる、また、コンピュータによってアクセスされることができる、任意の他の媒体も備えることができる。また、いずれの接続もコンピュータ可読媒体と適切に名付けられる。例えば、ソフトウェアがウェブサイト、サーバ、あるいは、同軸ケーブル、光ファイバーケーブル、ツイストペア、デジタル加入者ライン（ＤＳＬ）、あるいは赤外線（ＩＲ）、ラジオ、およびマイクロ波のようなワイヤレス技術を使用している他の遠隔ソース、から送信される場合には、同軸ケーブル、光ファイバーケーブル、ツイストペア、ＤＳＬ、あるいは赤外線、ラジオ、およびマイクロ波のようなワイヤレス技術は、媒体の定義に含まれる。ここに使用されているように、ディスク（disk）とディスク（disc）は、コンパクトディスク（ＣＤ）、レーザーディスク（登録商標）、光学ディスク、デジタル汎用ディスク（ＤＶＤ）、フロッピー（登録商標）ディスクおよびブルーレイディスクを含んでおり、「ディスク（disks）」は、大抵、データを磁気的に再生し、「ディスク（discs）」は、レーザーで光学的に再生する。したがって、いくつかの態様では、コンピュータ可読媒体は、ノントランジトリコンピュータ可読媒体（例えば、タンジブル媒体）を備えうる。さらに、他の態様の場合、コンピュータ可読媒体は、トランジトリコンピュータ可読媒体（例えば、信号）を備えうる。上記のものの組み合わせも、コンピュータ可読媒体の範囲内に含まれるべきである。
【０１０７】
したがって、ある態様は、ここに提示されるオペレーションを実行するためのコンピュータプログラムプロダクトを備えうる。例えば、このようなコンピュータプログラムプロダクトは、命令が格納されている（および／または符号化されている）コンピュータ可読媒体を備えることができ、命令は、ここに説明されるオペレーションを実行するように１つまたは複数のプロセッサによって実行可能である。ある態様では、コンピュータプログラムプロダクトは、パッケージング材料を含めうる。
【０１０８】
さらに、ここに説明される方法および技法を実行するためのモジュールおよび／または他の適切な手段は、ダウンロードされることができる、および／または、そうでない場合には、規定どおりにユーザ端末および／または基地局によって得られるということは理解されるべきである。例えば、そのようなデバイスは、ここにおいて記載される方法を実行するための手段の転送を容易にするためにサーバに結合されることができる。代替的に、ここに記載される様々な方法は、ストレージ手段（例、ＲＡＭ、ＲＯＭ、コンパクトディスク（ＣＤ）またはフロッピーディスクのような物理ストレージ媒体等）を介して提供されることができるので、ユーザ端末および／または基地局は、デバイスにストレージ手段を結合するまたは提供するときに、様々な方法を得ることができる。さらに、デバイスに対してここにおいて記載される方法および技法を提供するためのいずれの他の適切な技術が利用されることができる。
【０１０９】
本願請求項は、厳密な構成および上記で図示されるコンポーネントに限定されていないということは理解されるべきである。様々な修正、変更、および変形は、特許請求の範囲から逸脱することなく、上述される方法および装置の配置、オペレーション、および、詳細において行われうる。
【０１１０】
前述は、本開示の態様を対象としているが、本開示の他のおよびさらなる態様は、その基本的な範囲から逸脱することなく考案されうる、また、その範囲は、特許請求の範囲によって決定される。
【図１】
2013539629.tif 000003
【図２】
2013539629.tif 000004
【図３】
2013539629.tif 000005
【図４】
2013539629.tif 000006
【図４Ａ】
2013539629.tif 000007
【図５】
2013539629.tif 000008
【図５Ａ】
2013539629.tif 000009
【図６】
2013539629.tif 000010
【図７】
2013539629.tif 000011
【図８】
2013539629.tif 000012
【図９】
2013539629.tif 000013
【図１０】
2013539629.tif 000014
【図１１】
2013539629.tif 000015
【図１２Ａ】
2013539629.tif 000016
【図１２Ｂ】
2013539629.tif 000017
【図１２Ｃ】
2013539629.tif 000018
【図１２Ｄ】
2013539629.tif 000019
【図１２Ｅ】
2013539629.tif 000020
【図１３Ａ】
2013539629.tif 000021
【図１３Ｂ】
2013539629.tif 000022
【図１３Ｃ】
2013539629.tif 000023
【図１３Ｄ】
2013539629.tif 000024
【図１３Ｅ】
2013539629.tif 000025
【図１４Ａ】
2013539629.tif 000026
【図１４Ｂ】
2013539629.tif 000027
【図１５Ａ】
2013539629.tif 000028
【図１５Ｂ】
2013539629.tif 000029
【図１６Ａ】
2013539629.tif 000030
【図１６Ｂ】
2013539629.tif 000031
【図１７Ａ】
2013539629.tif 000032
【図１７Ｂ】
2013539629.tif 000033
【図１８Ａ】
2013539629.tif 000034
【図１８Ｂ】
2013539629.tif 000035
【図１８Ｃ】
2013539629.tif 000036
【図１８Ｄ】
2013539629.tif 000037
【図１９Ａ】
2013539629.tif 000038
【図１９Ｂ】
2013539629.tif 000039
【国際調査報告】
2013539629.tif 000040